(57)【要約】  ジャックポットレースイベントに対する賭け処理のためのシステムは、メモリとプロセッサとを有する。メモリは、カスタマに関連付けされ、第１賭けコンポーネントと第２賭けコンポーネントとを有する適合する賭け（ｑｕａｌｉｆｙｉｎｇ  ｂｅｔ）を格納する。第１賭けコンポーネントは、第１の適合するレースイベントに関連付けされ、第１賭け金を有する。第２賭けコンポーネントは、第２の適合するレースイベントに関連付けされ、第２賭け金を有する。プロセッサは、第１及び第２賭けコンポーネントの結果を特定する。第１賭けコンポーネントと第２賭けコンポーネントとが共に当選した賭けである場合、プロセッサは、ジャックポットレースイベントについてある個数のジャックポット賭けをカスタマに割り当てる。ジャックポット賭けの個数は、第１及び第２賭け金に少なくとも部分的に基づく。第１賭け金は、第１の適合するレースイベントについて共通したパリミューチュアルプールに割り当てられる。
2009503685.tif 000002
【特許請求の範囲】
【請求項１】
ジャックポットレースイベントに対する賭け処理システムであって、
カスタマに関連付けされる適合する賭けであって、第１の適合するレースイベントに関連付けされ、第１賭け金を有する第１賭けコンポーネントと、第２の適合するレースイベントに関連付けされ、第２賭け金を有する第２賭けコンポーネントとを有する適合する賭けを格納するメモリと、
前記第１及び第２賭けコンポーネントの結果を特定するよう動作可能なプロセッサと、
を有し、
前記第１賭けコンポーネントと前記第２賭けコンポーネントとが共に当選した賭けである場合、前記プロセッサは、ジャックポットレースイベントについて前記第１賭け金及び前記第２賭け金に少なくとも部分的に基づくある個数のジャックポット賭けを前記カスタマに割当て、
前記第１賭け金は、前記第１の適合するレースイベントについて共通のパリミューチュアルプールに割り当てられるシステム。
【請求項２】
前記プロセッサはさらに、
前記第１賭けコンポーネントの第１払戻を決定し、
前記第２賭けコンポーネントの第２払戻を決定し、
前記ジャックポットレースイベントに係るジャックポットレースプールに前記第１払戻の一部を割当て、
前記ジャックポットレースプールに前記第２払戻の一部を割り当てる、請求項１記載のシステム。
【請求項３】
前記第１賭けコンポーネントと前記第２賭けコンポーネントはそれぞれ、連勝単式の賭け、三連勝単式の賭け、連勝複式の賭け及び四連勝単式の賭けの各賭けタイプの１つから構成される、請求項１記載のシステム。
【請求項４】
各賭けコンポーネントは、ある適合するレースイベントの少なくとも２つの参加者を選択したものから構成される、請求項１記載のシステム。
【請求項５】
前記適合するレースイベントは、競馬、ドッグレース及び自動車レースの各レースイベントタイプから選択される、請求項４記載のシステム。
【請求項６】
前記適合する賭けはさらに、第３の適合するレースイベントに係る第３賭けコンポーネントを有し、
該第３賭けコンポーネントは、前記カスタマに関連付けされ、第３賭け金を有し、
前記カスタマへのジャックポット賭けの割当ては、前記第３賭けコンポーネントが当選した賭けであるというさらなる条件に対して実行される、請求項１記載のシステム。
【請求項７】
前記適合する賭けはさらに、前記第１の適合するレースイベントに係る第３賭けコンポーネントを有し、
該第３賭けコンポーネントは、前記カスタマに関連付けされ、第３賭け金を有し、
前記カスタマへのジャックポット賭けの割当ては、前記第１賭けコンポーネントと前記第３賭けコンポーネントの少なくとも１つが当選した賭けであるというさらなる条件に対して実行される、請求項６記載のシステム。
【請求項８】
前記第１及び第２賭けコンポーネントのそれぞれは、１つの取引により受け付けされる、請求項１記載のシステム。
【請求項９】
前記第１及び第２の適合するレースイベントは、前記ジャックポットレースイベント前に行われた適合するレースイベント群から前記カスタマにより選択される、請求項１記載のシステム。
【請求項１０】
前記プロセッサはさらに、前記ジャックポットレースイベントの当選した各カスタマに前記ジャックポットレースプールの少なくとも一部を実質的に均等に分割する、請求項２記載のシステム。
【請求項１１】
前記ジャックポットレースプールは、第１のジャックポットレースイベントに関連付けされ、
前記プロセッサはさらに、前記第１のジャックポットレースイベントに当選したカスタマがいなくても、前記ジャックポットレースプールを第２のジャックポットレースイベントに割り当てる、請求項２記載のシステム。
【請求項１２】
前記払戻の１０〜５０％が、前記ジャックポットレースプールに割り当てられる、請求項２記載のシステム。
【請求項１３】
各賭けコンポーネントは、ある適合するレースイベントの少なくとも２つの参加者であって、各参加者が前記適合するレースイベントに当選するためのオッズに関連付けされる参加者の選択したものから構成され、
前記ジャックポット賭けの個数は、前記選択された参加者の少なくとも一部のオッズに少なくとも部分的に基づく、請求項１記載のシステム。
【請求項１４】
ジャックポットレースイベントの賭けであって、
カスタマに関連付けされる適合する賭けであって、第１の適合するレースイベントに関連付けされ、第１賭け金を有する第１賭けコンポーネントと、第２の適合するレースイベントに関連付けされ、第２賭け金を有する第２賭けコンポーネントとを有する適合する賭けと、
ジャックポットレースイベントに係るいくつかのジャックポット賭けと、
を有し、
前記ジャックポット賭けの個数は、前記第１及び第２賭けコンポーネントが当選した賭けであるか否かと、さらに前記第１及び第２賭け金とに少なくとも部分的に基づき決定され、
前記第１賭け金は、前記第１の適合するレースイベントについて共通のパリミューチュアルプールに割り当てられる賭け。
【請求項１５】
前記第１賭けコンポーネントは、一部が前記ジャックポットレースイベントに係るジャックポットレースプールに割り当てられる第１払戻に関連付けされ、
前記第２賭けコンポーネントは、一部が前記ジャックポットレースイベントに係るジャックポットレースプールに割り当てられる第２払戻に関連付けされる、請求項１４記載の賭け。
【請求項１６】
前記第１賭けコンポーネントと前記第２賭けコンポーネントはそれぞれ、連勝単式の賭け、三連勝単式の賭け、連勝複式の賭け及び四連勝単式の賭けの各賭けタイプの１つから構成される、請求項１４記載の賭け。
【請求項１７】
各賭けコンポーネントは、ある適合するレースイベントの少なくとも２つの参加者を選択したものから構成される、請求項１４記載の賭け。
【請求項１８】
前記適合するレースイベントは、競馬、ドッグレース及び自動車レースの各レースイベントタイプから選択される、請求項１５記載の賭け。
【請求項１９】
前記適合する賭けはさらに、第３の適合するレースイベントに係る第３賭けコンポーネントを有し、
該第３賭けコンポーネントは、第３賭け金を有し、
ジャックポット賭けの個数はさらに、前記第３賭けコンポーネントが当選した賭けであるか否かに基づく、請求項１４記載の賭け。
【請求項２０】
前記適合する賭けはさらに、前記第１の適合するレースイベントに係る第３賭けコンポーネントを有し、
該第３賭けコンポーネントは、前記カスタマに関連付けされ、第３賭け金を有し、
ジャックポット掛けの個数は、前記第１賭けコンポーネントと当選した賭けを有する第３賭けコンポーネントの少なくとも１つに基づく、請求項１９記載の賭け。
【請求項２１】
前記第１及び第２賭けコンポーネントのそれぞれは、１つの取引により受け付けされる、請求項１４記載の賭け。
【請求項２２】
前記第１及び第２の適合するレースイベントは、前記ジャックポットレースイベント前に行われた適合するレースイベント群から選択される、請求項１４記載の賭け。
【請求項２３】
前記ジャックポットレースイベントの少なくとも一部は、前記ジャックポットレースイベントの当選した各カスタマに分割される、請求項１５記載の賭け。
【請求項２４】
前記ジャックポットレースプールは、第１のジャックポットレースイベントに関連付けされ、
前記第１のジャックポットレースイベントに当選したカスタマがいなくても、前記ジャックポットレースプールが第２のジャックポットレースイベントに割り当てられる、請求項１５記載の賭け。
【請求項２５】
前記払戻の１０〜５０％が、前記ジャックポットレースプールに割り当てられる、請求項１５記載の賭け。
【請求項２６】
各賭けコンポーネントは、ある適合するレースイベントの少なくとも２つの参加者であって、各参加者が前記適合するレースイベントに当選するためのオッズに関連付けされる参加者の選択したものから構成され、
前記ジャックポット賭けの個数は、前記選択された参加者の少なくとも一部のオッズに少なくとも部分的に基づく、請求項１４記載の賭け。
【請求項２７】
ジャックポットレースイベントに対する賭け処理方法であって、
カスタマに関連付けされる適合する賭けであって、第１の適合するレースイベントに関連付けされ、第１賭け金を有する第１賭けコンポーネントと、第２の適合するレースイベントに関連付けされ、第２賭け金を有する第２賭けコンポーネントとを有する適合する賭けを受け付けるステップと、
前記第１賭けコンポーネントと前記第２賭けコンポーネントとが共に当選した賭けである場合、ジャックポットレースイベントについて前記第１賭け金及び前記第２賭け金に少なくとも部分的に基づくある個数のジャックポット賭けを前記カスタマに割当てるステップと、
を有し、
前記第１賭け金は、前記第１の適合するレースイベントについて共通のパリミューチュアルプールに割り当てられる方法。
【請求項２８】
前記第１賭けコンポーネントの第１払戻を決定するステップと、
前記第２賭けコンポーネントの第２払戻を決定するステップと、
前記ジャックポットレースイベントに係るジャックポットレースプールに前記第１払戻の一部を割当てるステップと、
前記ジャックポットレースプールに前記第２払戻の一部を割り当てるステップと、
をさらに有する、請求項２７記載の方法。
【請求項２９】
前記第１賭けコンポーネントと前記第２賭けコンポーネントはそれぞれ、連勝単式の賭け、三連勝単式の賭け、連勝複式の賭け及び四連勝単式の賭けの各賭けタイプの１つから構成される、請求項２７記載の方法。
【請求項３０】
各賭けコンポーネントは、ある適合するレースイベントの少なくとも２つの参加者を選択したものから構成される、請求項２７記載の方法。
【請求項３１】
前記適合するレースイベントは、競馬、ドッグレース及び自動車レースの各レースイベントタイプから選択される、請求項２７記載の方法。
【請求項３２】
前記適合する賭けはさらに、第３の適合するレースイベントに係る第３賭けコンポーネントを有し、
該第３賭けコンポーネントは、前記カスタマに関連付けされ、第３賭け金を有し、
前記カスタマをジャックポット賭けに割当てるステップは、前記第３賭けコンポーネントが当選した賭けであるというさらなる条件に対して実行される、請求項２７記載の方法。
【請求項３３】
前記適合する賭けはさらに、前記第１の適合するレースイベントに係る第３賭けコンポーネントを有し、
該第３賭けコンポーネントは、前記カスタマに関連付けされ、第３賭け金を有し、
前記カスタマにジャックポット賭けを割当てるステップは、前記第１賭けコンポーネントと前記第３賭けコンポーネントの少なくとも１つが当選した賭けであるというさらなる条件に対して実行される、請求項２７記載の方法。
【請求項３４】
前記第１及び第２賭けコンポーネントのそれぞれは、１つの取引により受け付けされる、請求項２７記載の方法。
【請求項３５】
前記第１及び第２の適合するレースイベントは、前記ジャックポットレースイベント前に行われた適合するレースイベント群から前記カスタマにより選択される、請求項２７記載の方法。
【請求項３６】
前記ジャックポットレースイベントの当選した各カスタマに前記ジャックポットレースプールの少なくとも一部を実質的に均等に分割するステップをさらに有する、請求項２８記載の方法。
【請求項３７】
前記ジャックポットレースプールは、第１のジャックポットレースイベントに関連付けされ、
前記第１のジャックポットレースイベントに当選したカスタマがいなくても、前記ジャックポットレースプールを第２のジャックポットレースイベントに割り当てるステップをさらに有する、請求項２８記載の方法。
【請求項３８】
前記払戻の１０〜５０％が、前記ジャックポットレースプールに割り当てられる、請求項２８記載の方法。
【請求項３９】
各賭けコンポーネントは、ある適合するレースイベントの少なくとも２つの参加者であって、各参加者が前記適合するレースイベントに当選するためのオッズに関連付けされる参加者の選択したものから構成され、
前記ジャックポット賭けの個数は、前記選択された参加者の少なくとも一部のオッズに少なくとも部分的に基づく、請求項２７記載の方法。
【発明の詳細な説明】
【発明の詳細な説明】
【０００１】
［発明の技術分野］
本発明は、一般にイベントに対する賭けを実現するシステムに関し、より詳細には、ジャックポット（ｊａｃｋｐｏｔ）レースイベントを実行するためのシステムに関する。
【０００２】
［発明の背景］
競馬などのスポーツイベントに対する賭けは、世界の多くの部分において大規模で成長している産業である。各種タイプのスポーツイベントについて、各種タイプのプロダクト及びシステムが利用可能である。例えば、典型的な競馬の賭けは、あるレース若しくは一群のレースにおける１頭の馬若しくは複数の馬の着順に対して賭けをする人が賭けることを可能にする。例えば、賭けをする人は、１番目にゴールした馬（ウィン又は単勝）、２番目にゴールした馬（プレース又は２着払複勝）又は３番目にゴールした馬（ショー又は３着払複勝）に対して賭けることができる。賭けをする人はまた、連勝単式（ｅｘａｃｔａ）の賭け（上位２頭の馬をカバーする）又は三連勝単式（ｔｒｉｆｅｃｔａ）の賭け（上位３頭の馬をカバーする）など、複数の馬による各種組み合わせの賭けを行うかもしれない。さらに、賭けをする人は、デイリーダブル（ｄａｉｌｙ  ｄｏｕｂｌｅ）（２つの連続するレースの勝馬）、ピックスリー（３つの連続するレースの勝馬）及びピックシックス（６つの連続するレースの勝馬）など、あるレース群に対して賭けをするかもしれない。
【０００３】
パリミューチュアル賭けシステムでは、あるイベントに関するすべての賭けが集計され、競技場により手数料（又は“テークアウト”）が徴収され、残りが当選した賭けをした人に分配される。例えば、競馬に対する賭けについてのパリミューチュアル賭けシステムは、通常は北米（及び世界中の他の様々な場所）で使用されている。
【０００４】
［発明の概要］
一実施例によると、ジャックポットレースイベントに対する賭け処理のためのシステムは、メモリとプロセッサとを有する。メモリは、カスタマに関連付けされ、第１賭けコンポーネントと第２賭けコンポーネントとを有する適合する賭け（ｑｕａｌｉｆｙｉｎｇ  ｂｅｔ）を格納する。第１賭けコンポーネントは、第１の適合するレースイベントに関連付けされ、第１賭け金を有する。第２賭けコンポーネントは、第２の適合するレースイベントに関連付けされ、第２賭け金を有する。プロセッサは、第１及び第２賭けコンポーネントの結果を特定する。第１賭けコンポーネントと第２賭けコンポーネントとが共に当選した賭けである場合、プロセッサは、ジャックポットレースイベントについてある個数のジャックポット賭けをカスタマに割り当てる。ジャックポット賭けの個数は、第１及び第２賭け金に少なくとも部分的に基づく。
【０００５】
本発明の各種実施例は、多数の効果を奏するかもしれない。１以上の実施例が後述される効果の一部又はすべてを奏するかもしれないし、又は何れの効果も奏しないかもしれないということが理解されるべきである。
【０００６】
従来のシステムでは、個々のレースに対して賭けが受け付され、これらのレースが終了すると、それらに対する払戻のすべてが提供される。これは、活動のピークを特定のレースの周辺に基づかせる可能性がある。短い期間内での賭け活動のこのようなピークは、ネットワークリソースの使用超過を生じさせる可能性がある。レース日の終わりにジャックポットレースを有することによって、例えば、当該レースに対して発注される賭けがその日の期間中にわたる適合するレースの各結果とリンクされる場合、適合するレースに対して賭けをする者により発注された賭けはまた、その日中に分散している。このため、賭けシステムは、その日中のより長い期間において賭けをする者から賭けを受け付ける。このようにして、ネットワークリソースに対する負荷がその日中に分散される。この技術的効果は、レースに対する賭けの発注だけでなく賭けの決済にも適用可能である。例えば、本開示による賭けの発注及び受付と同様に、本開示による当選した賭けが決定され、より長い期間において支払われるかもしれない。これはまた、ネットワークリソースを解放しスピード及びスループット効率を向上させる。
以下の図面、記載及び請求項から、他の効果が当業者に容易に明らかとなるであろう。
【０００７】
［発明の実施例の詳細な説明］
図１は、本発明の実施例によるレースイベントについてのジャックポット賭け及び関連するジャックポットに適格な賭けを提供及び管理するための一例となるシステム１０を示す。システム１０は、１以上の通信ネットワーク１８により接続された１以上の賭けシステムインタフェース１４及び賭けシステムプラットフォーム１６を有する。一般に、１以上のカスタマ２０が、賭けシステムインタフェース１４を介し賭け情報（イベント時刻、賭けルール、賭けオプション及びオッズなど）を受信し、及び／又は賭け１２を発注する。いくつかの実施例では、賭け１２は賭けシステムインタフェース１４により受け付され、賭けシステムプラットフォーム１６に通信される。その後、賭けシステムプラットフォーム１６は、受け付けた賭け１２を格納し、適切なオッズ、賭けの結果及び払戻を決定し、当該オッズ、賭けの結果及び払戻を賭けシステムインタフェース１４の１以上に通信する。賭け１２は、以下でより詳細に説明されるように、従来の賭け３０、ジャックポットに適合した賭け３２及び／又はジャックポット賭け３４から構成されるかもしれない。
【０００８】
システム１０は、カスタマ２０が競馬、ドッグレース、自動車レースなど、あるレース参加者グループを有するレースイベントに対する賭け１２を発注することを可能にする。例えば、レーストラックは、日中にある競馬イベント群を主催するかもしれない。カスタマ２０が競技場で可能な従来の賭け３０に加えて、カスタマ２０は、ジャックポットレースイベントに対する賭けに適合するよう指定された個数の（３つなど）選択されたレースイベントに対して賭けをすることが可能である。本記載の残りは３つの選択されたレースイベントを使用して具体例について詳述するが、任意の適切な個数のレースイベントが利用可能であるということが理解されるべきである。これらの予備的なレースイベントは、“適合した（ｑｕａｌｉｆｙｉｎｇ）”レースイベントと呼ばれ、それらに対する賭けはジャックポットに適合した賭け３２と呼ばれる。各ジャックポットに適合した賭け３２は、１以上の賭けコンポーネント１００（図２Ａ〜２Ｃに詳細に示される）。一実施例では、ジャックポットに適合した賭け３２のすべてが、一般にある賭け形式を利用して行われ（図３に詳細に示される）、カスタマ２０は、適合したレースイベントとして使用するレースイベントを選択することができる。これらの適合したレースイベントに対して行われる賭けのタイプは、一般に連勝単式の賭けであるが、三連勝単式の賭け、連勝複式（ｑｕｉｎｅｌｌａ）の賭け、四連勝単式（ｓｕｐｅｒｆｅｃｔａ）の賭けを含む任意のタイプの非標準的な賭けであってもよい。さらに、“ホイール賭け（ｗｈｅｅｌ  ｂｅｔ）”及び／又は“ボックス賭け（ｂｏｘ  ｂｅｔ）”など、これらの賭けの変形及び／又は組み合わせがまた、ジャックポットに適合した賭け３２のあるイベントに対して行われるかもしれない。カスタマ２０が適合した賭け３２について指定された個数の適合したレースイベントのそれぞれにおいて少なくとも１つの賭けコンポーネント１００に当選した場合、カスタマ２０は、レース日の終了時、レース週の終了時、レースシーズンの終了時又は他の何れか適切な時点において行われるジャックポットレースイベントなど、関連するジャックポットレースイベントにおける特定数の賭けを獲得するカスタマ２０によりジャックポットレースイベントに対してアック得された賭けは、ジャックポット賭け３４と呼ばれる。一実施例では、カスタマ２０がジャックポットに適合した賭け３２の１つの適合したレースイベントにおいて賭けコンポーネントに当選できなかった場合、カスタマ３０は、当該ジャックポットに適合した賭け３２に係るジャックポットレースイベントについてジャックポット賭け３４を獲得できない。
【０００９】
システム１０はまた、カスタマ２０が賭け３２及び３４に加えて従来の賭け３０を発注することを可能にするかもしれない。従来の賭け３０は、ウィン賭け、プレース賭け、ショー賭け、連勝単式賭け、三連勝単式賭け、ホイール賭け、ボックス賭け、デイリーダブル賭け、ピックシックス賭けなどの各賭けを含むかもしれない。いくつかの実施例では、カスタマ２０は、同一のレースイベント又はレースイベント群について、１以上の従来の賭け３０と１以上のジャックポットに適合した賭け３２を発注するかもしれない。
【００１０】
システム１０により提供される賭け１２のオッズ及び／又は払戻は、何れか適切な方法により決定されてもよい。例えば、システム１０により提供される一部の賭け１２のオッズ及び／又は払戻は、賭けグループ１２（特定のレースイベントに関するあるタイプの賭け１２など）の賭け金がプールされ、競技場又は他の賭け提供者により手数料（又は“テークアウト”）が徴収され、残りが当選した賭けをした人に分配されるパリミューチュアルシステムに従って決定されてもよい。あるいは、システム１０により提供される一部の賭け１２のオッズ及び／又は払戻が、カスタマ２０がブックメーカーに対抗するポジションをとる賭けシステムなどの他のシステムに従って決定されてもよい。例えば、一部の賭け１２については、所定の又は固定されたオッズが決定され、カスタマ２０に通信されてもよい。
【００１１】
同じタイプの従来の賭け３０及びジャックポットに適合した賭け３２に対する賭け金は、これらの賭けが発注されると、何れか与えられたレースイベントの共通のパリミューチュアルポールに割り当てられるかもしれない。従って、賭けのタイプが連勝式の賭けである場合、連勝式プールが、従来の連勝式の賭け３０とジャックポットに適合した連勝式の賭け３２からの賭け金を利用して構成されるかもしれない。しかしながら、個別のパリミューチュアルプールが、各レースイベントの各種タイプの賭け（連勝式、三連勝式、四連勝式など）のジャックポットに適合した賭け３２と従来の賭け３０について構成されてもよい。共通するタイプの賭け３０及び３２について共通のパリミューチュアルプールを使用することによって、システム１０は、賭けプールにおいてより高い流動性を実現することができる。与えられたレースイベントに既存の連勝式のプールと連勝式のジャックポットに適合した賭け３２に対する賭け金を組み合わせることによって、レース場は、ジャックポット賭け３２を提供することを保証するためプールに十分な金銭があるか心配する必要がなくなる。
【００１２】
これらの賭け１２の払戻は、各種プールのサイズ、賭け１２について選択された参加者のオッズ、及び賭け金１２に従って、パリミューチュアル方式により決定されてもよい。ジャックポットレースイベントは、ジャックポットレースポールに関連付けされる。当選したジャックポットに適合した各賭け３２について、カスタマ２０は、残りのパーセンテージ（２５％など）がジャックポットレースプールに割り当てられることによって、あるパーセンテージの支払われる払戻（７５％など）を受け取る。対照的にカスタマ２０は、従来の賭け３０に係る十分な払戻（より低い手数料）を受け取る。これについて、カスタマ２０は、関連するジャックポットレースイベントに対する１以上の賭けに当選する機会と引き換えに、適合するレースイベントにおける当選する賭けからの払戻の一部をジャックポットレースプールに提供することに同意する。
【００１３】
カスタマ２０がジャックポットレースイベントについて獲得するジャックポット賭け３４の個数は、関連するジャックポットに適合したかけ３２の適合するレースイベントにおいてカスタマ２０により賭けられた金額及び／又はジャックポットに適合した賭け３２において選択された参加者のオッズなどの１以上のファクタに依存しうる。例えば、ジャックポットに適合した賭け３２の適合したレースイベントにおいて、カスタマ２０がより大きな賭けをするほど、ジャックポットレースイベントについてより大きなジャックポット賭け３４が獲得される。一実施例では、ジャックポットに適合した賭け３２の適合したレースイベントに対する各２ドルの賭けに対して、カスタマ２０はジャックポットレースイベントにおいて１つの２ドルのジャックポット賭け３４を獲得するかもしれない。適合するレースイベントに対して賭けられた金額の他の何れか適切な割合が、カスタマ３０により獲得されたジャックポット賭け３４の個数を決定するのに利用可能である。
【００１４】
他の例では、ジャックポットに適合した賭け３２において選択された参加者のオッズが高くなるに従って、ジャックポットレースイベントについてカスタマ２０によってより大きなジャックポット賭け３４が獲得される。これについて、カスタマ２０は、ジャックポットに適合した賭け３２におけるロングショット（ｌｏｎｇ  ｓｈｏｔ）に対する賭けについて見返りが提供されるかもしれない。カスタマ２０に与えられるジャックポット賭け３４の個数を決定するとき、参加者のオッズを考慮する１つの方法は、ジャックポットに適合した賭け３２に対するある当選払戻が、その日における同一タイプの賭けの平均払戻より大きいとき、１以上のさらなるジャックポット賭け３４をカスタマ２０に提供するというものである。例えば、連勝式の賭け３０に対する払戻がある競技場のあるレース日において平均される場合、その日の平均の連勝式払戻より多く支払われたジャックポットに適合した連勝式の賭け３２のコンポーネント１００に当選した各カスタマ２０には、１以上の追加的なジャックポット賭け３４が提供されることとなる。従って、その日の競技場における平均的な連勝式の払戻が３０．００ドルである場合、（１）２．００ドルの賭けに対して１４．００ドルの払い戻しを有する当選したジャックポットに適合した連勝式の賭け３２の一部としてのコンポーネント１００を有するカスタマ２０は、１つのジャックポット賭け３４を有することとなり、（２）２．００ドルの賭けに対して３２．００ドルの払い戻しを有する当選したジャックポットに適合した連勝式の賭け３２の一部としてのコンポーネント１００を有するカスタマ２０は、１つのジャックポット賭け３４と、少なくとも１つの追加的なジャックポット賭け３４を受け取ることになり、（３）２．００ドルに対して４４．００ドルの払い戻しを有する当選したジャックポットに適合した連勝式の賭け３２の一部としてのコンポーネント１００を有するカスタマ２０は、１つのジャックポット賭け３４と、少なくとも１つの追加的なジャックポット賭け３４を受け取ることとなる。
【００１５】
適合するジャックポット賭け３２が当該タイプの賭けについての平均的な払戻を    超過した差額に応じて、カスタマ２０は依然として追加的なジャックポット賭け３４を受け取ることとなる。このため、この払戻が２．００ドルの賭けに対して３２．００ドルであった上記賭け３２について、カスタマ２０は１つの追加的なジャックポット賭け３４を受け取り、払戻が２．００ドルの賭けに対して４４．００ドルであった上記賭け３２について、カスタマ２０は２つの追加的なジャックポット賭け３４を受け取ることとなる。何れか適切な差額とこれらの差額についての追加的なジャックポット賭け３４の個数とが、システム１０において利用されてもよい。
【００１６】
本実施例の変形では、当選した賭け３２の払戻とそれと同一タイプの賭けの平均的な払戻とを比較するのでなく、当選した賭け３２の払戻は、カスタマ２０に提供される１以上の追加的なジャックポット賭け３４を決定するため、必要に応じて、所定の払戻、ランダムに決定された払戻又は擬似ランダムに決定された払戻と比較されてもよい。
【００１７】
さらなる他の例では、カスタマ２０には、当選したジャックポットに適合した賭け３２の１以上の参加者のオッズとオッズの閾値セットとを比較することによって、ロングショットに対する賭けに対して見返りが提供されるかもしれない。特に、当選したジャックポットに適合した賭け３２のコンポーネント１００の１つの参加者の各オッズが閾値オッズより高い場合、カスタマ２０には１以上の追加的なジャックポット賭け３４が提供されるかもしれない。カスタマ２０に提供される追加的なジャックポット賭け３４の個数は、閾値オッズより大きなオッズを有する賭け３２の参加者数が１を超過するに従って、増大するかもしれない。このため、当選したジャックポットに適合した賭け３２のコンポーネント１００が、閾値オッズより高いオッズを有する複数の参加者を有する場合には、閾値オッズより高いオッズを有する１つのみの参加者が選択される場合より、より多くのジャックポット賭け３４が提供されるかもしれない。この対比に使用される閾値オッズは、必要に応じて、予め決定され、当選した賭けの平均オッズに基づき終了した後に決定され、ランダムに決定され、又は擬似ランダムに決定されてもよい。
【００１８】
カスタマに提供されるジャックポット賭け３４の個数を決定するためにここに記載される何れか適切な個数の方法及びその組み合わせが、システム１０において利用可能である。このため、カスタマ２０に提供するジャックポット賭け３４の個数を決定するため、当選したジャックポットに適合した賭け３２の各コンポーネント１００に対する賭け金と、当該当選したジャックポットに適合するかけ３２の参加者のオッズとを考慮した式が与えられてもよい。この式は、１つの特徴又は他の特徴に対して重み付けされてもよく、又は考慮されるすべての特徴に対して均等にバランスされてもよい。
【００１９】
賭けシステムインタフェース１４は、カスタマ２０と賭けシステムプラットフォーム１６との間の何れか適切なインタフェースを有するかもしれない。例えば、図１に示されるように、賭けシステムインタフェース１４は、競技場インタフェース４０及び／又は競技場外インタフェース４２などの物理的なインタフェースを有するかもしれない。競技場インタフェース４０は一般に競技場に配設され、競技場外インタフェース４２は一般にＯＴＢ（Ｏｆｆ−Ｔｒａｃｋ−Ｂｅｔｔｉｎｇ）パーラーなどのＯＴＢ施設に配設される。競技場インタフェース４０と競技場外インタフェース４２は、カスタマ２０から賭け１２を受け付け、カスタマ２０の払戻を分配するテラー、及び／又はイベント時刻、現在のオッズ、各種賭け１２の予想される又は実際の払戻などの賭け情報をモニタするようカスタマ２０により視聴されるモニタ４６を有するかもしれない。いくつかの状況では、このような情報は、例えば、新たな賭け１２が発注され、及び／又はイベントに関する情報が変更されるに従って、実質的にリアルタイムに又は所定の間隔により更新されるかもしれない。モニタ４６は、例えば、競技場又はＯＴＢ施設に配設された電光掲示板又は有線テレビなどを含むかもしれない。
【００２０】
競技場インタフェース４０及び／又は競技場外インタフェース４２はまた、１以上のセルフサービス賭けマシーン４８を有するかもしれない。いくつかの実施例では、セルフサービス賭けマシーン４８は、カスタマ２０がマシーンに支払を挿入し（現金又はバウチャ、クレジットカード又はデビットカードを利用することによって）、１以上の従来の賭け３０、ジャックポットに適合した賭け３２及び／又はジャックポット賭け３２を発注し、発注した賭けを示すプリントアウト（チケットなど）を受け取ることを可能にする。当選した賭けのプリントアウトが、例えば、支払バウチャ（テラー４４からの払戻を受け取るのに利用可能な）を受け取り、又はさらなる賭け１２を発注するためなど、セルフサービス賭けマシーンに挿入されるかもしれない。他の実施例では、セルフサービス賭けマシーン４８は、カスタマ２０が賭けを発注するためクレジット又はデビットカードを使用することを可能にする。クレジットカード又はデビットカードは、賭けアカウントプロバイダにより提供及び／又は管理される賭けアカウントであるかもしれない関連するアカウントを有するかもしれない。いくつかの実施例では、レースイベントの終了後、カスタマ２０はカードの残高を更新するため、セルフサービス賭けマシーン４８に自分のクレジット又はデビットカードを挿入又は通すかもしれない。セルフサービス賭けマシーン４８はまた、カスタマ２０が、支払を受け取るため、テラー４４に提供される支払バウチャをプリントアウトすることを可能にするかもしれない。
【００２１】
図１に示されるように、賭けシステムインタフェース１４はまた、１以上の電話オペレータ５０及び１以上のウェブページなど、各種非物理的インタフェースを有するかもしれない。カスタマ２０は、１以上の通信ネットワークを５６を介しこのような非物理的インタフェースにアクセス又は通信するかもしれない。通信ネットワーク５６は、有線、光、無線又は他の適切なリンクなどの各リンクにより接続される１以上のサーバ、ルータ、スイッチ、リピータ、バックボーン、リンク及び／又は他の何れかのタイプの通信装置を含むかもしれない。一般に、通信ネットワーク５６は、電話網、ローカルエリアネットワーク（ＬＡＮ）、メトロポリタンエリアネットワーク（ＭＡＮ）、ワイドエリアネットワーク（ＷＡＮ）、インターネット、インターネットの一部又は他の何れかのデータ交換システムなどの何れかの通信ネットワーク上の何れかのインターコネクトを含むかもしれない。通信ネットワーク５６を利用して賭けシステムインタフェース１４にアクセスするため、カスタマ２０はコンピュータ、携帯情報端末（ＰＤＡ）、携帯電話、リモートページング装置、電子メール通信装置、携帯賭け装置又は他の何れか適切なモバイル装置を利用してもよい。ある実施例では、カスタマ２０は、通信ネットワーク５６及び賭けシステムインタフェース１４などを利用して、モバイル装置を介し賭けシステムプラットフォーム１６から賭け情報などの何れか適切な情報を受け取るかもしれない。
【００２２】
電話オペレータ５０は、賭け情報（イベント時刻、賭けルール、賭けオプション、オッズなど）をカスタマ２０に通信し、賭け１２をカスタマ２０から受け取るかもしれない。このようなウェブページ５４の１以上が、システム１０に係る１以上のサーバにより運営され、当該サーバはまた、いくつかの実施例において賭けシステムプラットフォーム１６を運営するかもしれない。いくつかの実施例では、ウェブページ５４を介しカスタマ２０に利用可能な賭け情報は、新たな賭け１２が発注され、及び／又はイベントに関する情報が変更されると、実質的にリアルタイムに又は所定の間隔により更新されてもよい。
【００２３】
いくつかの実施例では、１以上のウェブページ５４がインターネット賭けプロバイダ５８などにより提供され又は関連付けされてもよい。インターネット賭けプロバイダ５８は、オンライン賭けアカウントを１以上のカスタマ２０に提供することによって、インターネットアカウント賭け処理を提供するかもしれない。オンライン賭けアカウントを利用して、カスタマ２０は、アカウントに資金供給し、レースイベントに関する賭け情報を閲覧し、賭け１２を発注するため、インターネット賭けプロバイダ５８に係る１以上のウェブページ５４とインタフェースをとるかもしれない。このようなオンライン賭けアカウントは、デポジットアカウント、クレジットアカウント、ストップロスアカウント、ハイブリッドアカウントなどの１以上の各種タイプのアカウントを含むかもしれない。
【００２４】
システム１０の賭けシステムインタフェース１４の一部又はすべてが、あらゆるタイプの賭け１２を提供又は受け付けるよう動作可能であるかもしれない。しかしながら、いくつかの実施例では、１以上の賭けシステムインタフェース１４は、ジャックポットに適合した賭け３２及びジャックポット賭け３４又は従来の賭け３０の何れかしか提供又は受け付けないかもしれない。例えば、ある実施例では、賭けシステムプラットフォーム１６に係るウェブページ群は、カスタマ２０があらゆるタイプの賭け１２を発注することを可能にし、あるセルフサービス賭けマシーン４８のみが、カスタマ２０がジャックポットに適合した賭け３２及び３４又は従来の賭け３０の何れかを発注することを可能にするかもしれない。
【００２５】
上述されるように、賭けシステムプラットフォーム１６は、賭けシステムインタフェース１４から賭け１２を受け付け、受け付けた賭け１２を格納し、適切なオッズ、賭けの結果及び払戻を決定し、当該オッズ、賭けの結果及び／又は払戻を、これらをカスタマ２０に表示可能な賭けシステムインタフェース１４の１以上に通信するよう動作可能である。図１に示されるように、賭けシステムプラットフォーム１６は、メモリ７２に接続されたプロセッサ７０を有する。プロセッサ７０は、一般に以下で詳述される現在のオッズデータ７６、賭けの結果７８及び払戻８０を決定するため、賭けシステムソフトウェアアプリケーション７４又は他のコンピュータ命令を実行するよう動作可能である。
【００２６】
上述されるように、賭けシステムプラットフォーム１６は、プロセッサ７０とメモリ７２とを有する。プロセッサ７０は、中央処理ユニット（ＣＰＵ）や他のマイクロプロセッサなど、賭けシステムソフトウェアプリケーション７４又は他のコンピュータ命令を実行する何れか適切なプロセッサを有し、一緒になって動作する何れか適切な個数のプロセッサを有するかもしれない。メモリ７２は、１以上のＲＡＭ（Ｒａｎｄｏｍ  Ａｃｃｅｓｓ  Ｍｅｍｏｒｙ）、ＲＯＭ（Ｒｅａｄ−Ｏｎｌｙ  Ｍｅｍｏｒｙ）、ＤＲＡＭ（Ｄｙｎａｍｉｃ  ＲＡＭ）、ＦＣＲＡＭ（Ｆａｓｔ  Ｃｙｃｌｅ  ＲＡＭ）、ＳＲＡＭ（Ｓｔａｔｉｃ  ＲＡＭ）、ＦＰＧＡ（Ｆｉｅｌｄ−Ｐｒｏｇｒａｍｍａｂｌｅ  Ｇａｔｅ  Ａｒｒａｙ）、ＥＰＲＯＭ（Ｅｒａｓａｂｌｅ  Ｐｒｏｇｒａｍｍａｂｌｅ  ＲＯＭ）、ＥＥＰＲＯＭ（Ｅｌｅｃｔｒｉｃａｌｌｙ  ＥＰＲＯＭ）又は他の何れか適切な揮発性又は不揮発性記憶装置など、コンピュータ命令の実行を実現するのに適した１以上の記憶装置から構成されてもよい。
【００２７】
メモリ７２は、一般にオッズ、賭けの結果及び／又は払戻を決定する際にプロセッサ７０により利用可能な各種情報を格納するよう動作可能である。例えば、メモリ７２は、一緒に配設され、又は物理的及び／若しくは地理的に分散される何れか適切な個数のデータベースを有するかもしれない。図１に示される例では、メモリ７２は、賭けシステムソフトウェアアプリケーション７４、現在のオッズデータ７６、賭けの結果７８、払戻８０、レースイベントパラメータ８２、賭けパラメータ８４及びレース結果８６の何れか又はすべてを格納してもよい。
【００２８】
現在のオッズデータ７６は、カスタマ２０がこのような賭け１２の賭け金に基づきかけ１２の潜在的な払戻を決定できるように、例えば、（ａ）各種賭け１２についてパリミューチュアルプールに格納されている賭け金、（ｂ）各種賭け１２について現在のオッズデータ（このような賭け１２はパリミューチュアル又は固定されたオッズの賭けの何れでもよい）、及び／又は（ｃ）各種賭け１２についての潜在的な払戻データなどに関する現在又はほぼ現在のデータを有するかもしれない。上述されるように、プロセッサ７０は、このような現在のオッズデータ７６を決定するため、賭けシステムソフトウェアアプリケーションを実行するよう動作可能である。プロセッサ７０は、メモリ７２及び／又は１以上の賭けシステムインタフェース１４から受け付けたデータに少なくとも基づき、このような現在のオッズデータ７６を決定してもよい。さらに、プロセッサ７０は、賭けシステムプラットフォーム１６により受け付けされる新たな情報に基づき、このような現在のオッズデータ７６を更新してもよい。いくつかの実施例では、プロセッサ７０は、リアルタイムに、実質的にリアルタイムに、又は所定の間隔（３０秒毎など）により現在のオッズデータ７６を更新してもよい。
【００２９】
図１に示されるように、現在のオッズデータ７６は、矢印９０により示されるように、通信ネットワーク１８を介し１以上の賭けシステムインタフェース１４と通信されてもよい。このとき、現在のオッズデータ７６は、カスタマ２０によりアクセス可能な適切なウェブページ５４において、又は競技場若しくはＯＴＢ施設に配設された電光掲示板若しくはモニタ４６を介して、カスタマ２０に利用可能とされるかもしれない。このように、カスタマ２０は、各種の賭け１２又はレースイベントに関するリアルタイム又は実質的にリアルタイムな現在オッズデータ７６にアクセス可能となるかもしれない。
【００３０】
賭けの結果７８は、賭け１２を発注したカスタマ２０の身元、賭けの結果、賭け１２について決定された払戻及び／又は払戻８０がカスタマ２０に分配されたかなど、各種賭け１２（従来の賭け３０、ジャックポットに適合する賭け３２及び／又はジャックポット賭け３４を含む）の結果に関する各種データを有するかもしれない。賭け１２の可能な結果は、例えば、“ウィン”、“ルーズ”、“プッシュ”又は“ノーアクション”などを含むかもしれない。プロセッサ７０は、１以上の関連するレースイベントに関するレースイベントパラメータ８２、賭け１２に関する賭けパラメータ８４及び１以上の関連するレースイベントに関するレース結果８６に基づき、賭け１２の結果を決定するかもしれない。
【００３１】
プロセッサ７０は、賭け１２がパリミューチュアル、固定オッズ又は他のタイプの賭けであるかに応じて、各種データに基づき各当選した賭け１２の払戻８０を決定するかもしれない。プロセッサ７０は、上記タイプの賭けの払戻を決定するための既知の方法に従って、当選したパリミューチュアル及び固定オッズ賭け１２の払戻を決定するかもしれない。賭けシステムプラットフォーム１６により決定される払戻８０は、レース前に動的に計算及び／又は更新可能な潜在的な払戻及び利益、又はレースに対する賭けが締め切られた後若しくはレースが実行され及び／若しくは“公式”と宣言された後に計算可能な実際の払戻及び利益から構成されるかもしれないということが理解されるべきである。上述されるように、ジャックポットレースイベントは、ジャックポットレースプールと関連付けされる。当選した各ジャックポットに適合した賭け３２について、残りのパーセント（２５％など）がジャックポットレースプールに割り当てられることによって、カスタマ２０は提供される払戻のある割合（７５％など）を受け取ることとなる。これらの割当ては、払戻８０及び／又は賭けパラメータ８４に反映されるかもしれない。
【００３２】
レースイベントパラメータ８２は、レースイベントのタイプ、レースイベントの日時及び場所、並びに／又はレースイベントの各参加者の番号（又はいくつかのケースでは、名前）など、１以上のレースイベントの各種パラメータを有するかもしれない。
【００３３】
賭けパラメータ８４は、賭け１２を発注したカスタマの身元、賭け１２が発注された方法（電話若しくはインターネットを介して、又は競技場若しくはＯＴＢ施設において有人により）、賭け１２のタイプ（賭け１２が従来の賭け３０、ジャックポットに適合した賭け３２又はジャックポット賭け３４などであるか否かなど）、賭け１２に対する手数料率、ジャックポットに適合する賭け３２の適合したレースイベント及び参加者、並びに／又は賭け１２の賭け金など、１以上の受け付けた賭け１２の各種パラメータから構成されるかもしれない。
【００３４】
レース結果８６は、１以上のレースイベントの結果に関する各種データから構成されるかもしれない。レース結果８６はまた、各ジャックポットに適合した賭け３２とそれらを構成する適合したレースイベントの結果を含むものであってもよい。これについて、あるレース結果は、それのジャックポットに適合する賭け３２に従って各カスタマ２０についてパーソナル化されてもよい。
【００３５】
上述されるように、１以上の通信ネットワーク１８が、１以上の賭けシステムインタフェース１４と賭けシステムプラットフォーム１６との間の無線又は有線通信を接続及び実現する。各通信ネットワーク１８は、有線、光リンク、無線リンク又は他の適切なリンクなどの各リンクにより接続される１以上のサーバ、ルータ、スイッチ、リピータ、バックボーン、リンク及び／又は他の何れか適切なタイプの通信装置を含むかもしれない。一般に、各通信ネットワーク１８は、ローカルエリアネットワーク（ＬＡＮ）、メトロポリタンエリアネットワーク（ＭＡＮ）、ワイドエリアネットワーク（ＷＡＮ）、インターネット、インターネットの一部又は他の何れかのデータ交換システムなどの何れか通信ネットワーク上の何れかのインターコネクトを含むものであってもよい。
【００３６】
また、賭けシステムプラットフォーム１６の１つ、一部又はすべてのコンポーネントがまとめて配設され、又は物理的若しくは地理的に分散されてもよいということが理解されるべきである。さらに、ジャックポットに適合した賭け３２及び／又はジャックポット賭け３４に係る何れかの賭けプール（パリミューチュアルプールなど）と共に、賭けシステムプラットフォーム１６の１つ、一部又はすべてのコンポーネントは、当該賭けに係るレースイベントが運営される競技場又は他の競技場又はＯＴＢエンティティなどの他の何れか適切な位置に配設されるかもしれない。いくつかの実施例では、例えば、ジャックポットに適合した賭け３２及び／又はジャックポット賭け３４のためのパリミューチュアルプールは、当該賭けによりカバーされるレースイベントが行われている競技場によって運営される。他の実施例では、特定のジャックポットに適合した賭け３２及び／又はジャックポット賭け３４のためのパリミューチュアルプールは、当該賭けによりカバーされるレースイベントが行われている競技場から離れた競技場又はＯＴＢエンティティにより運営される。
【００３７】
ジャックポットに適合した賭け３２及びジャックポット賭け３４の処理が、図２Ａ〜２Ｃを参照して詳細に説明される。図２Ａは、カスタマ２０ａのための一例となるジャックポットに適合した賭け３２ａを示す。図２Ｂは、カスタマ２０ｂのための一例となるジャックポットに適合した賭け３２ｂを示す。図２Ｃは、カスタマ２０ｎのための一例となるジャックポットに適合した賭け３２ｎを示す。本例では、各カスタマ２０ａ、２０ｂ及び２０ｎは競技場で開催される複数の競馬レースの１以上に対して賭けをしていると仮定する。各カスタマ２０は、レース日の終了時に行われるジャックポットレースイベントのためのジャックポット賭け３４を獲得するため、ジャックポットに適合した賭け３２を行う。
【００３８】
図２Ａを参照するに、一例となるジャックポットに適合した賭け３２ａは、ある競技場における複数のレースイベントからの３つの適合したレースイベントに対する賭けから構成される。カスタマ２０ａは、これらの適合するレースイベントを選択するか、又は賭けシステムプラットフォーム１６などによりカスタマ２０のために選択されたものであってもよい（ランダムに、擬似ランダムに、あるパターンに従って、過去の嗜好に従って、又はそれ以外など）。ジャックポットに適合した賭け３２ａについて選択される適合したレースイベントは、レース２、レース５及びレース６を含む。一実施例では、各適合したレースイベントは、ジャックポットに適合した賭け３２が行われる時点で選択される。他の実施例では、カスタマ２０が、ジャックポットに適合した賭け３２に対するすべての賭けコンポーネント１００の賭け金を支払ってもよいが、実際のレースイベント及び／又は参加者が、ジャックポットに適合した賭け３２が行われた後の各種時点で選択されてもよい。これについて、カスタマ２０は、ある賭けコンポーネント１００を確定する前に、あるレースイベントの出走予定時刻まで導くさらなるハンディキャップ情報を処理することができる。
【００３９】
ジャックポットに適合した賭け３２ａは、対応する各適合したレースイベントに係る独立した賭けコンポーネント１００から構成される。例えば、賭けコンポーネント１００ａはレース２に関連付けされ、賭けコンポーネント１００ｂはレース５に関連付けされ、賭けコンポーネント１００ｃはレース６に関連付けされる。ジャックポットに適合した賭け３２の各賭けコンポーネント１００について、賭けタイプが決定される。本例では、カスタマ２０ａが適合させようとするジャックポットレースイベントに対する賭けは、連勝単式から構成される。この結果、適合する賭け３２ａの各賭けコンポーネント１００ａ〜１００ｃはまた、連勝単式の賭けから構成される。これについて、ある賭けコンポーネントに当選するため、カスタマ２０ａは選択されたレースイベントにゴールする第１及び第２参加者を正しく選択しなければならない。
【００４０】
図２Ａに示されるように、賭けコンポーネント１００ａは、カスタマ２０ａがレース２における１番目と２番目にそれぞれゴールする参加者２及び５に対して２０．００ドルをかけていることを示している。賭けコンポーネント１００ｂは、カスタマ２０ａがレース５における１番目と２番目にそれぞれゴールする参加者３及び７に対して３０．００ドルを賭けていることを示す。賭けコンポーネント１００ｃは、レース６に１番目と２番目にそれぞれゴールする参加者１及び８に対して２．００ドルを賭けていることを示す。ここに記載されるジャックポットレースイベントのルールに従って、カスタマ２０ａがジャックポットに適合する賭け３２ａについて３つすべての賭けコンポーネント１００ａ〜１００ｃに対して正解した場合、カスタマ２０ａは関連するジャックポットレースイベントのある個数のジャックポット賭け３４に当選する。カスタマ２０ａが適合する賭け３２の１つの賭けコンポーネント１００に負けた場合、カスタマ２０ａが何れのジャックポット賭け３４にも当選しない。また、ルールに従って、カスタマ２０ａは残りのパーセンテージ（２５％など）がジャックポットレースプールに割り当てられることによって、当選した各適合したレースイベントについて提供される払戻のあるパーセンテージ（７５％など）を受け取る。
【００４１】
図２Ａはまた、適合する賭け３２ａの個々の賭けコンポーネント１００ａ〜１００ｃの各結果を示す。本例では、カスタマ２０ａは、各賭けコンポーネント１００ａ〜１００ｃに当選し、このため、ジャックポットレースイベントのある個数のジャックポット賭け３４に当選する。カスタマ２０ａが当選したジャックポット賭け３４の個数は、本例では、各賭けコンポーネント１００ａ〜１００ｃの賭け金に依存していた。例えば、カスタマ２０ａが２０．００ドルが賭けられた賭けコンポーネント１００ａに当選したため、カスタマ２０ａは、１０個の２ドルのジャックポット賭け３４に当選したこととなる。カスタマ２０ａが２．００ドルが賭けられた賭けコンポーネント１００ｃに当選したため、カスタマ２０ａは、１つの２．００ドルのジャックポット賭け３４に当選したこととなる。従って、適合した賭け３２ａにおいてカスタマ２０ａが当選したジャックポット賭け３４の合計は、２６となる。他の実施例では、各賭けコンポーネント１００ａ〜１００ｃについて選択された参加者のオッズは、カスタマ２０ａが当選したジャックポット賭け３４の個数を決定するのに考慮される。例えば、カスタマ２０ａは、より低いオッズの参加者に賭けるより（フェイバリットなど）、より高いオッズの参加者に賭けることによって（ロングショットなど）より多くのジャックポット賭け３４を受け取ることができたかもしれない。上述されるように、これは、当選した賭けに対する払戻と同じタイプの賭けについてその日の間の平均払戻とを比較することによって決定されてもよい。あるいは、１以上の参加者のオッズをオッズの閾値セットと比較することによって決定されてもよい。
【００４２】
図２Ｂを参照するに、一例となるジャックポットに適合した賭け３２ｂは、当該競技場の複数のレースイベントからの３つの適合したレースイベントに対する賭けから構成される。ジャックポットに適合した賭け３２ｂについて選択された適合したレースイベントは、レース１、レース５及びレース７を含む。ジャックポットに適合した賭け３２ｂは、レース１に係る賭けコンポーネント１００ａ、レース５に係る賭けコンポーネント１００ｂ及びレース７に係る賭けコンポーネント１００ｃを含む。各賭けコンポーネント１００ａ〜１００ｃの賭けタイプは、連勝単式の賭けである。これについて、賭けコンポーネント１００に当選するため、カスタマ２０ｂは選択されたレースイベントにゴールする１番目と２番目の参加者を正しく選択しなければならない。
【００４３】
図２Ｂに示されるように、賭けコンポーネント１００ａは、カスタマ２０ｂがレース１において１番目と２番目にそれぞれゴールする参加者１０及び１２に対して４．００ドルを賭けていることを示している。賭けコンポーネント１００ｂは、カスタマ２０ｂがレース５において１番目と２番目にそれぞれゴールする参加者３及び７に対して３０．００ドルを賭けていることを示している。賭けコンポーネント１００ｃは、カスタマ２０ｂがレース７において１番目と２番目のそれぞれにゴールする参加者３及び９に対して２２．００ドルを賭けていることを示している。カスタマ２０ｂがジャックポットに適合する賭け３２ｂについて３つすべての賭けコンポーネント１００ａ〜１００ｃに対して正解した場合、カスタマ２０ｂは、関連するジャックポットレースイベントについてある個数のジャックポット賭け３４に当選する。カスタマ２０ｂが適合した賭け３２ｂの１つの賭けコンポーネント１００ａ〜１００ｃを外した場合、カスタマ２０ｂは何れのジャックポット賭け３４にも当選しない。さらに、カスタマ２０ｂは、残りのパーセンテージ（２５％など）がジャックポットレースプールに割り当てられることにより当選する各適合するレースイベントについて提供されるあるパーセンテージの払戻（７５％など）を受け取る。
【００４４】
図２Ｂはまた、適合する賭け３２ｂの個々の賭けコンポーネント１００ａ〜１００ｃの各結果を示す。本例では、カスタマ２０ａは、賭けコンポーネント１００ａ及び１００ｂに当選したが、賭けコンポーネント１００ｃを外した。この結果、カスタマ２０ｂは、ジャックポットレースイベントの何れのジャックポット賭け３４にも当選しなかった。特に、カスタマ２０ａが４．００ドルが賭けられた賭けコンポーネント１００ａに当選したため、カスタマ２０ａは２つの２ドルのジャックポット賭け３４に当選したこととなる。さらに、カスタマ２０ｂは、３０．００ドルが賭けられた賭けコンポーネント１００ｂに当選したため、カスタマ２０ａは１５個の２ドルのジャックポット賭け３４に当選したこととなる。カスタマ２０ｂが適合する賭け３２からの何れかのジャックポット賭け３４に当選しなかったとしても、カスタマ２０ｂは依然としてジャックポットレースプールに当選した賭けコンポーネント１００ａ及び１００ｂについて提供される払戻の一部に貢献したことになる。
【００４５】
図２Ｃを参照するに、一例となるジャックポットに適合した賭け３２ｎは、当該競技場の複数のレースイベントからの３つの適合したレースイベントに対する賭けから構成される。ジャックポットに適合した賭け３２ｎについて選択される適合したレースイベントは、レース３、レース５及びレース７を含む。ジャックポットに適合した賭け３２ｎは、レース３に係る賭けコンポーネント１００ａ、レース５に係る賭けコンポーネント１００ｂ、レース５に係る賭けコンポーネント１００ｃ及びレース７に係る賭けコンポーネント１００ｄから構成される。各賭けコンポーネント１００ａ〜１００ｄの賭けタイプは、連勝単式である。これについて、特定の賭けコンポーネント１００に当選するため、カスタマ２０ｎは、選択されたレースイベントにゴールする１番目と２番目の参加者を正しく選択しなければならない。
【００４６】
図２Ｃに示されるように、賭けコンポーネント１００ａは、カスタマ２０ｎがレース３における１番目と２番目にそれぞれゴールする参加者３及び１０に対して５０．００ドルを賭けていることを示している。賭けコンポーネント１００ｂは、カスタマ２０ｎがレース５において１番目と２番目のそれぞれにゴールした参加者３及び７に対して１００．００ドルを賭けていることを示している。賭けコンポーネント１００ｃは、レース５において１番目と２番目にそれぞれゴールする参加者７及び３に対して１００．００ドルを賭けていることを示している。従って、カスタマ２０ｎは、レース５に関連する複数の賭けコンポーネント１００ｂ及び１００ｃを有している。この場合、例えば、カスタマ２０ｎは、レース５において参加者３及び７に対して“連勝単式ボックス賭け”を行っており、これにより、賭けコンポーネント１００ｂ及び１００ｃが得られる。賭けコンポーネント１００ｄは、カスタマ２０ｎがレース７において１番目と２番目にそれぞれゴールする参加者２及び９に対して４０．００ドルを賭けていることを示している。レース５の賭けコンポーネント１００ｂ又は１００ｃの１つが当選し、レース３及び７のそれぞれの各賭けコンポーネント１００ａ及び１００ｄが当選している場合、カスタマ２０ｎは、関連するジャックポットレースイベントについてある個数のジャックポット賭け３４に当選する。カスタマ２０ｎが適合する賭け３２ｎの１つの賭けコンポーネント１００ａ又は１００ｄを外した場合、又は賭けコンポーネント１００ｂ及び１００ｃの両方を外した場合、カスタマ２０ｎは何れのジャックポット賭け３４にも当選しないこととなる。さらに、カスタマ２０ｎは、残りのパーセンテージ（２５％など）がジャックポットレースプールに割り当てられることによって、当選する各適合するレースイベントについて提供されるあるパーセンテージの払戻（７５％など）を受け取る。
【００４７】
図２Ｃはまた、適合する賭け３２ｎの個々の賭けコンポーネント１００ａ〜１００ｄの各結果を示す。本例では、カスタマ２０ｎは、各レースイベントの賭けコンポーネント１００に当選し、これにより、ジャックポットレースイベントのある個数のジャックポット賭け３４に当選する。これは、レース５において賭けコンポーネント１００ｂが当選したため、レース５において賭けコンポーネント１００ｃが外れてしまったという事実にもかかわらず成り立つ。本例では、カスタマ２０ｎが当選したジャックポット３４の個数は、各当選した賭けコンポーネント１００ａ〜１００ｄの賭け金に依存していた。例えば、カスタマ２０ｎは５０．００ドルが賭けられた賭けコンポーネント１００ａに当選したため、カスタマ２０ｎは２５個の２ドルのジャックポット賭け３４に当選したこととなる。カスタマ２０ｎが１００．００ドルが賭けられた賭けコンポーネント１００ｂに当選したため、カスタマ２０ｎは、５０個の２ドルのジャックポット賭け３４に当選したこととなる。カスタマ２０ｎが４０．００ドルが賭けられた賭けコンポーネント１００ｄに当選したため、カスタマ２０ｎは２０個の２ドルのジャックポット賭け３４に当選したこととなる。従って、適合する賭け３２ｎにおいてカスタマ２０ｎが当選したジャックポット賭け３４の合計数は９５となる。他の実施例では、各賭けコンポーネント１００ａ〜１００ｄについて選択された参加者のオッズは、カスタマ２０ｎが当選したジャックポット賭け３４の個数を決定するのに考慮される。例えば、カスタマ２０ｎは、より低いオッズの参加者に賭けることより（フェイバリットなど）、より高いオッズの参加者に賭けることによって（ロングショットなど）、より多くのジャックポット賭け３４を受け取ることになるかもしれない。
【００４８】
ここで、カスタマ２０ａ及び２０ｎは、適合するジャックポット賭け３２ａ及び３２ｎのそれぞれに当選することによって適合するジャックポットレースイベントの結果に対していくつかのジャックポット賭け３４を発注する機会を有している。一実施例では、このジャックポットレースイベントは、競技場での競技日の終了時に行われる。上述されるように、カスタマ２０ａは、ジャックポットレースイベントについて２６個の２ドルのジャックポット賭け３４に当選し、カスタマ２０ｎは、ジャックポットレースイベントについて９５個の２ドルの賭け３４に当選している。カスタマ２０は、指定された数量まで任意数及び組み合わせのジャックポット賭け３４を発注してもよい。このため、カスタマ２０ａは、２６個の独立した２ドルの賭け３４、１つの５２ドルの賭け３４又はそれらの間の何れかの個数及び組み合わせを発注するかもしれない。同様に、カスタマ２０ｎは、９５個の独立した２ドルの賭け３４、１つの１９０ドルの賭け３４又はそれらの間の何れか個数及び組み合わせを発注するかもしれない。上記賭け３４のそれぞれは、上述した具体例に従って連勝単式の賭けを構成する。このため、ジャックポット賭け３４に当選するため、カスタマ２０はジャックポットレースイベントにゴールする１番目と２番目の参加者を正しく選択する必要がある。
【００４９】
ジャックポットレースイベントに適合するすべてのカスタマ２０が各自のジャックポット賭け３４をした後、ジャックポットレースイベントが実行される。ジャックポットレースイベントに対して各自のジャックポット賭け３４に当選した者がいない場合、ジャックポットレースプールは次のジャックポットレースイベントにキャリオーバーされる。複数のカスタマ２０がジャックポットレースイベントのジャックポット賭け３４に当選した場合、ジャックポットレースプールは、当選者に均等に分割される。これについて、ジャックポットレースイベントの払戻は、パリミューチュアルベースに従っては決定されない。このため、適合したイベント群において獲得された払戻の一部をジャックポットレースプールに寄付することに同意することによって、カスタマは当選が多数となるかもしれないジャックポットレースイベントにおいていくつかのジャックポット賭け３４に当選する機会を有する。
【００５０】
図３は、ジャックポットに適合した賭け３２を発注するための一例となる賭けフォーム１１０を示す。フォーム１１０は、適合処理の各部分に対応するセクション１１２を有する。特に、あるジャックポットに適合した賭け３２について指定された個数のレースイベントが３である場合、第１セクション１１２ａが第１部分に対応し、第２セクション１１２ｂが第２部分に対応し、第３セクション１１２ｃが第３部分に対応する。各賭けセクション１１２の内部では、カスタマ２０はレースイベント、何れか適切な単位による賭け金及び賭けの参加者を選択する機会を有する。ジャックポットに適合した賭け３２の何れか与えられた部分に対して、カスタマ２０は、ボックス賭けやホイール賭けなどの複数の賭けを発注することができる。例えば、連勝単式ボックス賭けは、１着として２つの参加者と、２着として同じ２つの参加者とを選択することによって行われる。ボックス賭けは、当該レースイベントの２つの賭けコンポーネント１００をもたらす。ホイール賭けは、１着又は２着の何れかとして“Ａ”を選択することにより行われ、その他の着順について特定の参加者と組み合わされる。ホイール賭けは、ホイール賭けに係る適切な個数の組み合わせに基づき、当該レースイベントについて複数の賭けコンポーネント１００をもたらす。
【００５１】
図３に示される賭けフォーム１１０は、図２Ｃに示されるように、カスタマ２０ｎにより発注されたジャックポットに適合する賭け３２ｎに対応する。例えば、セクション１１２ａは、カスタマ２０ｎがレース３において馬３及び馬１０に対して５０ドルの連勝単式の賭けをどのように発注するか示している。セクション１１２ｂは、賭けコンポーネント１００ｂがレース５において１番目と２番目にゴールする馬３と馬７に対して１００ドルの連勝単式の賭けをカバーし、賭けコンポーネント１００ｃがレース５において１番目と２番目にゴールする馬７及び馬３に対して１００ドルの連勝単式の賭けをカバーするように、カスタマ２０ｎがレース５の馬３と馬７に対して１００ドルの連勝単式のボックス賭けをどのように発注するかを示している。セクション１１２ｃは、レース７において馬２及び馬９に対して４０ドルの連勝単式の賭けをカスタマ２０ｎがどのように発注するか示している。
【００５２】
図３に示される賭けフォーム１１０は単なる一例であり、他の何れか適切な賭けフォーム１１０が、ジャックポットに適合した賭け３２を発注するためシステム１０において利用可能であることが理解されるべきである。
【００５３】
図４は、本発明の実施例によるジャックポットレースイベントに関する賭けを受付及び管理する一例となる方法を示すフローチャート１５０である。本方法は、プラットフォーム１６が複数の賭けコンポーネント１００を有するジャックポットに適合した賭け３２を受け付けるステップ１５２から開始される。各賭けコンポーネント１００は、対応する適合したレースイベントに関連付けされる。ステップ１５４において、プラットフォーム１６は、当選した賭けとなった賭けコンポーネント１００を決定する。例えば、ジャックポットに適合する賭け３２に係る賭けのタイプが連勝単式の賭けである場合、プラットフォーム１６は、適合するレースイベントの連勝単式の賭けの何れが当選した賭けであったか決定する。各当選した賭けについて、プラットフォーム１６は、ステップ１５６において払戻を決定する。当選した賭けからの各払戻の一部が、ステップ１５８において、適切なジャックポットレースイベントのジャックポットレースプールに割り当てられる。
【００５４】
ステップ１６０に移行し、プラットフォーム１６は、ステップ１５２において受け付けたジャックポットに適合する賭け３２の賭けコンポーネント１００のすべてが当選した賭けであったか決定する。賭けコンポーネント１００の必ずしもすべてが適合するレースイベントの結果に基づき当選した賭けでなかった場合、ジャックポットに適合する賭け３２は外れの賭けとみなされ、ステップ１７０において処理が終了する。ステップ１６０において、すべての賭けコンポーネント１００が当選した賭けであったと判断された場合、ジャックポットに適合した賭け３２が当選した賭けとみなされ、ステップ１６２に移行し、プラットフォーム１６は、当選したジャックポットに適合する賭け３２を所持するカスタマ２０に与えられるジャックポット賭け３４の個数を決定する。上述されるように、カスタマ２０に与えられたジャックポット賭け３４の個数は、ジャックポットに適合する賭け３２の賭けコンポーネントに係る賭け金、賭けコンポーネント１００について選択された参加者のオッズ、又は賭け３２若しくは適合するレースイベントに係る他の何れか適切なファクタに基づくものであってもよい。
【００５５】
ステップ１６４において、プラットフォーム１６は、当選したジャックポットに適合する賭け３２を所持するカスタマ２０からジャックポット賭け３４を受け付ける。ジャックポットレースイベントが実行された後、ステップ１６６において、プラットフォーム１６は、当選と外れを決定するため、ジャックポット賭け３４の結果を決定する。ステップ１６８において、プラットフォーム１６は、当選したジャックポット賭け３４を所持するカスタマ２０にジャックポットレースプールの一部を与える。本方法は、ステップ１７０において終了する。
【００５６】
上述された各実施例の変形では、１以上のジャックポット賭け３４が、特定のジャックポットに適合した賭け３２の各コンポーネントのすべてではないが一部に当選したカスタマ２０に与えられてもよい。例えば、いくつかのジャックポット賭け３４が、ジャックポットに適合した賭け３２の４つのコンポーネント１００のうち３つ（又は試行されたコンポーネント１００のうちの他の何れか適切な個数の当選したコンポーネント１００）に当選したカスタマ２０に提供されてもよい。本例では、当選したコンポーネント１００のパーセンテージが高くなるに従って、カスタマ２０に提供されるジャックポット賭け３４の個数が多くなる。このため、ジャックポットに適合した賭け３２の３つのコンポーネント１００のうち３つに当選したカスタマ２０は、ジャックポットに適合した賭け３２の４つのコンポーネント１００のうち３つに当選したカスタマ２０より多くのジャックポット賭け３４に当選するかもしれない。これについて、ジャックポットに適合した賭け３２においてコンポーネント群１００の１番目を外したカスタマ２０は依然として、１以上のジャックポット賭け３４に当選する可能性がある。これは、その日におけるレースの関心をより持続させる。
【００５７】
本発明の実施例とそれらの効果が詳細に説明されたが、添付された請求項により規定されるような本発明の趣旨及び範囲から逸脱することなく各種変更、追加及び省略が当業者により可能であろう。
【図面の簡単な説明】
【００５８】
【図１】図１は、本発明の実施例によるジャックポットレースイベントに関する賭けを提供及び管理するための一例となるシステムを示す。
【図２】図２Ａ〜２Ｃは、図１のシステムに使用される一例となるジャックポットに適合する賭けを示す。
【図３】図３は、図１のシステムに使用される一例となる賭けフォームを示す。
【図４】図４は、本発明の実施例によるジャックポットレースイベントに関する賭けを受付及び管理する一例となる方法を示すフローチャートである。
【図１】
2009503685.tif 000003
【図２】
2009503685.tif 000004
【図３】
2009503685.tif 000005
【図４】
2009503685.tif 000006
【手続補正書】
【提出日】平成20年1月25日(2008.1.25)
【手続補正１】
【補正対象書類名】特許請求の範囲
【補正対象項目名】全文
【補正方法】変更
【補正の内容】
【特許請求の範囲】
【請求項１】
ジャックポットレースイベントに対する賭け処理システムであって、
カスタマに関連付けされる適合する賭けであって、第１の適合するレースイベントに関連付けされ、第１賭け金を有する第１賭けコンポーネントと、第２の適合するレースイベントに関連付けされ、第２賭け金を有する第２賭けコンポーネントとを有する適合する賭けを格納するメモリと、
前記第１及び第２賭けコンポーネントの結果を特定するよう動作可能なプロセッサと、
を有し、
前記第１賭けコンポーネントと前記第２賭けコンポーネントとが共に当選した賭けである場合、前記プロセッサは、ジャックポットレースイベントについて前記第１賭け金及び前記第２賭け金に少なくとも部分的に基づくある個数のジャックポット賭けを前記カスタマに割当て、
前記第１賭け金は、前記第１の適合するレースイベントについて共通のパリミューチュアルプールに割り当てられるシステム。
【請求項２】
前記プロセッサはさらに、
前記第１賭けコンポーネントの第１払戻を決定し、
前記第２賭けコンポーネントの第２払戻を決定し、
前記ジャックポットレースイベントに係るジャックポットレースプールに前記第１払戻の一部を割当て、
前記ジャックポットレースプールに前記第２払戻の一部を割り当てる、請求項１記載のシステム。
【請求項３】
前記第１賭けコンポーネントと前記第２賭けコンポーネントはそれぞれ、連勝単式の賭け、三連勝単式の賭け、連勝複式の賭け及び四連勝単式の賭けの各賭けタイプの１つから構成される、請求項１又は２記載のシステム。
【請求項４】
各賭けコンポーネントは、ある適合するレースイベントの少なくとも２つの参加者を選択したものから構成される、請求項１乃至３何れか一項記載のシステム。
【請求項５】
前記適合するレースイベントは、競馬、ドッグレース及び自動車レースの各レースイベントタイプから選択される、請求項４記載のシステム。
【請求項６】
前記適合する賭けはさらに、第３の適合するレースイベントに係る第３賭けコンポーネントを有し、
該第３賭けコンポーネントは、前記カスタマに関連付けされ、第３賭け金を有し、
前記カスタマへのジャックポット賭けの割当ては、前記第３賭けコンポーネントが当選した賭けであるというさらなる条件に対して実行される、請求項１乃至５何れか一項記載のシステム。
【請求項７】
前記適合する賭けはさらに、前記第１の適合するレースイベントに係る第３賭けコンポーネントを有し、
該第３賭けコンポーネントは、前記カスタマに関連付けされ、第３賭け金を有し、
前記カスタマへのジャックポット賭けの割当ては、前記第１賭けコンポーネントと前記第３賭けコンポーネントの少なくとも１つが当選した賭けであるというさらなる条件に対して実行される、請求項６記載のシステム。
【請求項８】
前記第１及び第２賭けコンポーネントのそれぞれは、１つの取引により受け付けされる、請求項１乃至７何れか一項記載のシステム。
【請求項９】
前記第１及び第２の適合するレースイベントは、前記ジャックポットレースイベント前に行われた適合するレースイベント群から前記カスタマにより選択される、請求項１乃至８何れか一項記載のシステム。
【請求項１０】
前記プロセッサはさらに、前記ジャックポットレースイベントの当選した各カスタマに前記ジャックポットレースプールの少なくとも一部を実質的に均等に分割する、請求項２記載のシステム。
【請求項１１】
前記ジャックポットレースプールは、第１のジャックポットレースイベントに関連付けされ、
前記プロセッサはさらに、前記第１のジャックポットレースイベントに当選したカスタマがいなくても、前記ジャックポットレースプールを第２のジャックポットレースイベントに割り当てる、請求項２記載のシステム。
【請求項１２】
前記払戻の１０〜５０％が、前記ジャックポットレースプールに割り当てられる、請求項２記載のシステム。
【請求項１３】
各賭けコンポーネントは、ある適合するレースイベントの少なくとも２つの参加者であって、各参加者が前記適合するレースイベントに当選するためのオッズに関連付けされる参加者の選択したものから構成され、
前記ジャックポット賭けの個数は、前記選択された参加者の少なくとも一部のオッズに少なくとも部分的に基づく、請求項１乃至１２何れか一項記載のシステム。
【請求項１４】
ジャックポットレースイベントの賭けを有する電子データを有するネットワークであって、
前記電子データは、
カスタマに関連付けされる適合する賭けであって、第１の適合するレースイベントに関連付けされ、第１賭け金を有する第１賭けコンポーネントと、第２の適合するレースイベントに関連付けされ、第２賭け金を有する第２賭けコンポーネントとを有する適合する賭けと、
ジャックポットレースイベントに係るいくつかのジャックポット賭けと、
を有し、
前記ジャックポット賭けの個数は、前記第１及び第２賭けコンポーネントが当選した賭けであるか否かと、さらに前記第１及び第２賭け金とに少なくとも部分的に基づき決定され、
前記第１賭け金は、前記第１の適合するレースイベントについて共通のパリミューチュアルプールに割り当てられるネットワーク。
【請求項１５】
前記第１賭けコンポーネントは、一部が前記ジャックポットレースイベントに係るジャックポットレースプールに割り当てられる第１払戻に関連付けされ、
前記第２賭けコンポーネントは、一部が前記ジャックポットレースイベントに係るジャックポットレースプールに割り当てられる第２払戻に関連付けされる、請求項１４記載のネットワーク。
【請求項１６】
前記第１賭けコンポーネントと前記第２賭けコンポーネントはそれぞれ、連勝単式の賭け、三連勝単式の賭け、連勝複式の賭け及び四連勝単式の賭けの各賭けタイプの１つから構成される、請求項１４又は１５記載のネットワーク。
【請求項１７】
各賭けコンポーネントは、ある適合するレースイベントの少なくとも２つの参加者を選択したものから構成される、請求項１４乃至１６何れか一項記載のネットワーク。
【請求項１８】
前記適合するレースイベントは、競馬、ドッグレース及び自動車レースの各レースイベントタイプから選択される、請求項１７記載のネットワーク。
【請求項１９】
前記適合する賭けはさらに、第３の適合するレースイベントに係る第３賭けコンポーネントを有し、
該第３賭けコンポーネントは、第３賭け金を有し、
ジャックポット賭けの個数はさらに、前記第３賭けコンポーネントが当選した賭けであるか否かに基づく、請求項１４乃至１８何れか一項記載のネットワーク。
【請求項２０】
前記適合する賭けはさらに、前記第１の適合するレースイベントに係る第３賭けコンポーネントを有し、
該第３賭けコンポーネントは、前記カスタマに関連付けされ、第３賭け金を有し、
ジャックポット掛けの個数は、前記第１賭けコンポーネントと当選した賭けを有する第３賭けコンポーネントの少なくとも１つに基づく、請求項１９記載のネットワーク。
【請求項２１】
前記第１及び第２賭けコンポーネントのそれぞれは、１つの取引により受け付けされる、請求項１４乃至２０何れか一項記載のネットワーク。
【請求項２２】
前記第１及び第２の適合するレースイベントは、前記ジャックポットレースイベント前に行われた適合するレースイベント群から選択される、請求項１４乃至２１何れか一項記載のネットワーク。
【請求項２３】
前記ジャックポットレースイベントの少なくとも一部は、前記ジャックポットレースイベントの当選した各カスタマに分割される、請求項１５記載のネットワーク。
【請求項２４】
前記ジャックポットレースプールは、第１のジャックポットレースイベントに関連付けされ、
前記第１のジャックポットレースイベントに当選したカスタマがいなくても、前記ジャックポットレースプールが第２のジャックポットレースイベントに割り当てられる、請求項１５記載のネットワーク。
【請求項２５】
前記払戻の１０〜５０％が、前記ジャックポットレースプールに割り当てられる、請求項１５記載のネットワーク。
【請求項２６】
各賭けコンポーネントは、ある適合するレースイベントの少なくとも２つの参加者であって、各参加者が前記適合するレースイベントに当選するためのオッズに関連付けされる参加者の選択したものから構成され、
前記ジャックポット賭けの個数は、前記選択された参加者の少なくとも一部のオッズに少なくとも部分的に基づく、請求項１４乃至２５何れか一項記載のネットワーク。
【手続補正２】
【補正対象書類名】明細書
【補正対象項目名】全文
【補正方法】変更
【補正の内容】
【発明の詳細な説明】
【発明の詳細な説明】
【０００１】
［発明の技術分野］
本発明は、一般にイベントに対する賭けを実現するシステムに関し、より詳細には、ジャックポット（ｊａｃｋｐｏｔ）レースイベントを実行するためのシステムに関する。
【０００２】
［発明の背景］
競馬などのスポーツイベントに対する賭けは、世界の多くの部分において大規模で成長している産業である。各種タイプのスポーツイベントについて、各種タイプのプロダクト及びシステムが利用可能である。例えば、典型的な競馬の賭けは、あるレース若しくは一群のレースにおける１頭の馬若しくは複数の馬の着順に対して賭けをする人が賭けることを可能にする。例えば、賭けをする人は、１番目にゴールした馬（ウィン又は単勝）、２番目にゴールした馬（プレース又は２着払複勝）又は３番目にゴールした馬（ショー又は３着払複勝）に対して賭けることができる。賭けをする人はまた、連勝単式（ｅｘａｃｔａ）の賭け（上位２頭の馬をカバーする）又は三連勝単式（ｔｒｉｆｅｃｔａ）の賭け（上位３頭の馬をカバーする）など、複数の馬による各種組み合わせの賭けを行うかもしれない。さらに、賭けをする人は、デイリーダブル（ｄａｉｌｙ  ｄｏｕｂｌｅ）（２つの連続するレースの勝馬）、ピックスリー（３つの連続するレースの勝馬）及びピックシックス（６つの連続するレースの勝馬）など、あるレース群に対して賭けをするかもしれない。
【０００３】
パリミューチュアル賭けシステムでは、あるイベントに関するすべての賭けが集計され、競技場により手数料（又は“テークアウト”）が徴収され、残りが当選した賭けをした人に分配される。例えば、競馬に対する賭けについてのパリミューチュアル賭けシステムは、通常は北米（及び世界中の他の様々な場所）で使用されている。
【０００４】
［発明の概要］
本発明の課題は、ネットワークリソースの使用超過を低減するジャックポットレースイベントに対する賭け処理のためのシステムを提供することである。上記課題は、独立形式の請求項に規定されるような特徴によって実現することができる。さらなる向上が、従属形式の請求項に特徴付けされる。
【０００５】
一実施例によると、ジャックポットレースイベントに対する賭け処理のためのシステムは、メモリとプロセッサとを有する。メモリは、カスタマに関連付けされ、第１賭けコンポーネントと第２賭けコンポーネントとを有する適合する賭け（ｑｕａｌｉｆｙｉｎｇ  ｂｅｔ）を格納する。第１賭けコンポーネントは、第１の適合するレースイベントに関連付けされ、第１賭け金を有する。第２賭けコンポーネントは、第２の適合するレースイベントに関連付けされ、第２賭け金を有する。プロセッサは、第１及び第２賭けコンポーネントの結果を特定する。第１賭けコンポーネントと第２賭けコンポーネントとが共に当選した賭けである場合、プロセッサは、ジャックポットレースイベントについてある個数のジャックポット賭けをカスタマに割り当てる。ジャックポット賭けの個数は、第１及び第２賭け金に少なくとも部分的に基づく。
【０００６】
本発明の各種実施例は、多数の効果を奏するかもしれない。１以上の実施例が後述される効果の一部又はすべてを奏するかもしれないし、又は何れの効果も奏しないかもしれないということが理解されるべきである。
【０００７】
従来のシステムでは、個々のレースに対して賭けが受け付され、これらのレースが終了すると、それらに対する払戻のすべてが提供される。これは、活動のピークを特定のレースの周辺に基づかせる可能性がある。短い期間内での賭け活動のこのようなピークは、ネットワークリソースの使用超過を生じさせる可能性がある。レース日の終わりにジャックポットレースを有することによって、例えば、当該レースに対して発注される賭けがその日の期間中にわたる適合するレースの各結果とリンクされる場合、適合するレースに対して賭けをする者により発注された賭けはまた、その日中に分散している。このため、賭けシステムは、その日中のより長い期間において賭けをする者から賭けを受け付ける。このようにして、ネットワークリソースに対する負荷がその日中に分散される。この技術的効果は、レースに対する賭けの発注だけでなく賭けの決済にも適用可能である。例えば、本開示による賭けの発注及び受付と同様に、本開示による当選した賭けが決定され、より長い期間において支払われるかもしれない。これはまた、ネットワークリソースを解放しスピード及びスループット効率を向上させる。
【０００８】
以下の図面、記載及び請求項から、他の効果が当業者に容易に明らかとなるであろう。
【０００９】
［発明の実施例の詳細な説明］
図１は、本発明の実施例によるレースイベントについてのジャックポット賭け及び関連するジャックポットに適格な賭けを提供及び管理するための一例となるシステム１０を示す。システム１０は、１以上の通信ネットワーク１８により接続された１以上の賭けシステムインタフェース１４及び賭けシステムプラットフォーム１６を有する。一般に、１以上のカスタマ２０が、賭けシステムインタフェース１４を介し賭け情報（イベント時刻、賭けルール、賭けオプション及びオッズなど）を受信し、及び／又は賭け１２を発注する。いくつかの実施例では、賭け１２は賭けシステムインタフェース１４により受け付され、賭けシステムプラットフォーム１６に通信される。その後、賭けシステムプラットフォーム１６は、受け付けた賭け１２を格納し、適切なオッズ、賭けの結果及び払戻を決定し、当該オッズ、賭けの結果及び払戻を賭けシステムインタフェース１４の１以上に通信する。賭け１２は、以下でより詳細に説明されるように、従来の賭け３０、ジャックポットに適合した賭け３２及び／又はジャックポット賭け３４から構成されるかもしれない。
【００１０】
システム１０は、カスタマ２０が競馬、ドッグレース、自動車レースなど、あるレース参加者グループを有するレースイベントに対する賭け１２を発注することを可能にする。例えば、レーストラックは、日中にある競馬イベント群を主催するかもしれない。カスタマ２０が競技場で可能な従来の賭け３０に加えて、カスタマ２０は、ジャックポットレースイベントに対する賭けに適合するよう指定された個数の（３つなど）選択されたレースイベントに対して賭けをすることが可能である。本記載の残りは３つの選択されたレースイベントを使用して具体例について詳述するが、任意の適切な個数のレースイベントが利用可能であるということが理解されるべきである。これらの予備的なレースイベントは、“適合した（ｑｕａｌｉｆｙｉｎｇ）”レースイベントと呼ばれ、それらに対する賭けはジャックポットに適合した賭け３２と呼ばれる。各ジャックポットに適合した賭け３２は、１以上の賭けコンポーネント１００（図２Ａ〜２Ｃに詳細に示される）。一実施例では、ジャックポットに適合した賭け３２のすべてが、一般にある賭け形式を利用して行われ（図３に詳細に示される）、カスタマ２０は、適合したレースイベントとして使用するレースイベントを選択することができる。これらの適合したレースイベントに対して行われる賭けのタイプは、一般に連勝単式の賭けであるが、三連勝単式の賭け、連勝複式（ｑｕｉｎｅｌｌａ）の賭け、四連勝単式（ｓｕｐｅｒｆｅｃｔａ）の賭けを含む任意のタイプの非標準的な賭けであってもよい。さらに、“ホイール賭け（ｗｈｅｅｌ  ｂｅｔ）”及び／又は“ボックス賭け（ｂｏｘ  ｂｅｔ）”など、これらの賭けの変形及び／又は組み合わせがまた、ジャックポットに適合した賭け３２のあるイベントに対して行われるかもしれない。カスタマ２０が適合した賭け３２について指定された個数の適合したレースイベントのそれぞれにおいて少なくとも１つの賭けコンポーネント１００に当選した場合、カスタマ２０は、レース日の終了時、レース週の終了時、レースシーズンの終了時又は他の何れか適切な時点において行われるジャックポットレースイベントなど、関連するジャックポットレースイベントにおける特定数の賭けを獲得するカスタマ２０によりジャックポットレースイベントに対してアック得された賭けは、ジャックポット賭け３４と呼ばれる。一実施例では、カスタマ２０がジャックポットに適合した賭け３２の１つの適合したレースイベントにおいて賭けコンポーネントに当選できなかった場合、カスタマ３０は、当該ジャックポットに適合した賭け３２に係るジャックポットレースイベントについてジャックポット賭け３４を獲得できない。
【００１１】
システム１０はまた、カスタマ２０が賭け３２及び３４に加えて従来の賭け３０を発注することを可能にするかもしれない。従来の賭け３０は、ウィン賭け、プレース賭け、ショー賭け、連勝単式賭け、三連勝単式賭け、ホイール賭け、ボックス賭け、デイリーダブル賭け、ピックシックス賭けなどの各賭けを含むかもしれない。いくつかの実施例では、カスタマ２０は、同一のレースイベント又はレースイベント群について、１以上の従来の賭け３０と１以上のジャックポットに適合した賭け３２を発注するかもしれない。
【００１２】
システム１０により提供される賭け１２のオッズ及び／又は払戻は、何れか適切な方法により決定されてもよい。例えば、システム１０により提供される一部の賭け１２のオッズ及び／又は払戻は、賭けグループ１２（特定のレースイベントに関するあるタイプの賭け１２など）の賭け金がプールされ、競技場又は他の賭け提供者により手数料（又は“テークアウト”）が徴収され、残りが当選した賭けをした人に分配されるパリミューチュアルシステムに従って決定されてもよい。あるいは、システム１０により提供される一部の賭け１２のオッズ及び／又は払戻が、カスタマ２０がブックメーカーに対抗するポジションをとる賭けシステムなどの他のシステムに従って決定されてもよい。例えば、一部の賭け１２については、所定の又は固定されたオッズが決定され、カスタマ２０に通信されてもよい。
【００１３】
同じタイプの従来の賭け３０及びジャックポットに適合した賭け３２に対する賭け金は、これらの賭けが発注されると、何れか与えられたレースイベントの共通のパリミューチュアルポールに割り当てられるかもしれない。従って、賭けのタイプが連勝式の賭けである場合、連勝式プールが、従来の連勝式の賭け３０とジャックポットに適合した連勝式の賭け３２からの賭け金を利用して構成されるかもしれない。しかしながら、個別のパリミューチュアルプールが、各レースイベントの各種タイプの賭け（連勝式、三連勝式、四連勝式など）のジャックポットに適合した賭け３２と従来の賭け３０について構成されてもよい。共通するタイプの賭け３０及び３２について共通のパリミューチュアルプールを使用することによって、システム１０は、賭けプールにおいてより高い流動性を実現することができる。与えられたレースイベントに既存の連勝式のプールと連勝式のジャックポットに適合した賭け３２に対する賭け金を組み合わせることによって、レース場は、ジャックポット賭け３２を提供することを保証するためプールに十分な金銭があるか心配する必要がなくなる。
【００１４】
これらの賭け１２の払戻は、各種プールのサイズ、賭け１２について選択された参加者のオッズ、及び賭け金１２に従って、パリミューチュアル方式により決定されてもよい。ジャックポットレースイベントは、ジャックポットレースポールに関連付けされる。当選したジャックポットに適合した各賭け３２について、カスタマ２０は、残りのパーセンテージ（２５％など）がジャックポットレースプールに割り当てられることによって、あるパーセンテージの支払われる払戻（７５％など）を受け取る。対照的にカスタマ２０は、従来の賭け３０に係る十分な払戻（より低い手数料）を受け取る。これについて、カスタマ２０は、関連するジャックポットレースイベントに対する１以上の賭けに当選する機会と引き換えに、適合するレースイベントにおける当選する賭けからの払戻の一部をジャックポットレースプールに提供することに同意する。
【００１５】
カスタマ２０がジャックポットレースイベントについて獲得するジャックポット賭け３４の個数は、関連するジャックポットに適合したかけ３２の適合するレースイベントにおいてカスタマ２０により賭けられた金額及び／又はジャックポットに適合した賭け３２において選択された参加者のオッズなどの１以上のファクタに依存しうる。例えば、ジャックポットに適合した賭け３２の適合したレースイベントにおいて、カスタマ２０がより大きな賭けをするほど、ジャックポットレースイベントについてより大きなジャックポット賭け３４が獲得される。一実施例では、ジャックポットに適合した賭け３２の適合したレースイベントに対する各２ドルの賭けに対して、カスタマ２０はジャックポットレースイベントにおいて１つの２ドルのジャックポット賭け３４を獲得するかもしれない。適合するレースイベントに対して賭けられた金額の他の何れか適切な割合が、カスタマ３０により獲得されたジャックポット賭け３４の個数を決定するのに利用可能である。
【００１６】
他の例では、ジャックポットに適合した賭け３２において選択された参加者のオッズが高くなるに従って、ジャックポットレースイベントについてカスタマ２０によってより大きなジャックポット賭け３４が獲得される。これについて、カスタマ２０は、ジャックポットに適合した賭け３２におけるロングショット（ｌｏｎｇ  ｓｈｏｔ）に対する賭けについて見返りが提供されるかもしれない。カスタマ２０に与えられるジャックポット賭け３４の個数を決定するとき、参加者のオッズを考慮する１つの方法は、ジャックポットに適合した賭け３２に対するある当選払戻が、その日における同一タイプの賭けの平均払戻より大きいとき、１以上のさらなるジャックポット賭け３４をカスタマ２０に提供するというものである。例えば、連勝式の賭け３０に対する払戻がある競技場のあるレース日において平均される場合、その日の平均の連勝式払戻より多く支払われたジャックポットに適合した連勝式の賭け３２のコンポーネント１００に当選した各カスタマ２０には、１以上の追加的なジャックポット賭け３４が提供されることとなる。従って、その日の競技場における平均的な連勝式の払戻が３０．００ドルである場合、（１）２．００ドルの賭けに対して１４．００ドルの払い戻しを有する当選したジャックポットに適合した連勝式の賭け３２の一部としてのコンポーネント１００を有するカスタマ２０は、１つのジャックポット賭け３４を有することとなり、（２）２．００ドルの賭けに対して３２．００ドルの払い戻しを有する当選したジャックポットに適合した連勝式の賭け３２の一部としてのコンポーネント１００を有するカスタマ２０は、１つのジャックポット賭け３４と、少なくとも１つの追加的なジャックポット賭け３４を受け取ることになり、（３）２．００ドルに対して４４．００ドルの払い戻しを有する当選したジャックポットに適合した連勝式の賭け３２の一部としてのコンポーネント１００を有するカスタマ２０は、１つのジャックポット賭け３４と、少なくとも１つの追加的なジャックポット賭け３４を受け取ることとなる。
【００１７】
適合するジャックポット賭け３２が当該タイプの賭けについての平均的な払戻を超過した差額に応じて、カスタマ２０は依然として追加的なジャックポット賭け３４を受け取ることとなる。このため、この払戻が２．００ドルの賭けに対して３２．００ドルであった上記賭け３２について、カスタマ２０は１つの追加的なジャックポット賭け３４を受け取り、払戻が２．００ドルの賭けに対して４４．００ドルであった上記賭け３２について、カスタマ２０は２つの追加的なジャックポット賭け３４を受け取ることとなる。何れか適切な差額とこれらの差額についての追加的なジャックポット賭け３４の個数とが、システム１０において利用されてもよい。
【００１８】
本実施例の変形では、当選した賭け３２の払戻とそれと同一タイプの賭けの平均的な払戻とを比較するのでなく、当選した賭け３２の払戻は、カスタマ２０に提供される１以上の追加的なジャックポット賭け３４を決定するため、必要に応じて、所定の払戻、ランダムに決定された払戻又は擬似ランダムに決定された払戻と比較されてもよい。
【００１９】
さらなる他の例では、カスタマ２０には、当選したジャックポットに適合した賭け３２の１以上の参加者のオッズとオッズの閾値セットとを比較することによって、ロングショットに対する賭けに対して見返りが提供されるかもしれない。特に、当選したジャックポットに適合した賭け３２のコンポーネント１００の１つの参加者の各オッズが閾値オッズより高い場合、カスタマ２０には１以上の追加的なジャックポット賭け３４が提供されるかもしれない。カスタマ２０に提供される追加的なジャックポット賭け３４の個数は、閾値オッズより大きなオッズを有する賭け３２の参加者数が１を超過するに従って、増大するかもしれない。このため、当選したジャックポットに適合した賭け３２のコンポーネント１００が、閾値オッズより高いオッズを有する複数の参加者を有する場合には、閾値オッズより高いオッズを有する１つのみの参加者が選択される場合より、より多くのジャックポット賭け３４が提供されるかもしれない。この対比に使用される閾値オッズは、必要に応じて、予め決定され、当選した賭けの平均オッズに基づき終了した後に決定され、ランダムに決定され、又は擬似ランダムに決定されてもよい。
【００２０】
カスタマに提供されるジャックポット賭け３４の個数を決定するためにここに記載される何れか適切な個数の方法及びその組み合わせが、システム１０において利用可能である。このため、カスタマ２０に提供するジャックポット賭け３４の個数を決定するため、当選したジャックポットに適合した賭け３２の各コンポーネント１００に対する賭け金と、当該当選したジャックポットに適合するかけ３２の参加者のオッズとを考慮した式が与えられてもよい。この式は、１つの特徴又は他の特徴に対して重み付けされてもよく、又は考慮されるすべての特徴に対して均等にバランスされてもよい。
【００２１】
賭けシステムインタフェース１４は、カスタマ２０と賭けシステムプラットフォーム１６との間の何れか適切なインタフェースを有するかもしれない。例えば、図１に示されるように、賭けシステムインタフェース１４は、競技場インタフェース４０及び／又は競技場外インタフェース４２などの物理的なインタフェースを有するかもしれない。競技場インタフェース４０は一般に競技場に配設され、競技場外インタフェース４２は一般にＯＴＢ（Ｏｆｆ−Ｔｒａｃｋ−Ｂｅｔｔｉｎｇ）パーラーなどのＯＴＢ施設に配設される。競技場インタフェース４０と競技場外インタフェース４２は、カスタマ２０から賭け１２を受け付け、カスタマ２０の払戻を分配するテラー、及び／又はイベント時刻、現在のオッズ、各種賭け１２の予想される又は実際の払戻などの賭け情報をモニタするようカスタマ２０により視聴されるモニタ４６を有するかもしれない。いくつかの状況では、このような情報は、例えば、新たな賭け１２が発注され、及び／又はイベントに関する情報が変更されるに従って、実質的にリアルタイムに又は所定の間隔により更新されるかもしれない。モニタ４６は、例えば、競技場又はＯＴＢ施設に配設された電光掲示板又は有線テレビなどを含むかもしれない。
【００２２】
競技場インタフェース４０及び／又は競技場外インタフェース４２はまた、１以上のセルフサービス賭けマシーン４８を有するかもしれない。いくつかの実施例では、セルフサービス賭けマシーン４８は、カスタマ２０がマシーンに支払を挿入し（現金又はバウチャ、クレジットカード又はデビットカードを利用することによって）、１以上の従来の賭け３０、ジャックポットに適合した賭け３２及び／又はジャックポット賭け３２を発注し、発注した賭けを示すプリントアウト（チケットなど）を受け取ることを可能にする。当選した賭けのプリントアウトが、例えば、支払バウチャ（テラー４４からの払戻を受け取るのに利用可能な）を受け取り、又はさらなる賭け１２を発注するためなど、セルフサービス賭けマシーンに挿入されるかもしれない。他の実施例では、セルフサービス賭けマシーン４８は、カスタマ２０が賭けを発注するためクレジット又はデビットカードを使用することを可能にする。クレジットカード又はデビットカードは、賭けアカウントプロバイダにより提供及び／又は管理される賭けアカウントであるかもしれない関連するアカウントを有するかもしれない。いくつかの実施例では、レースイベントの終了後、カスタマ２０はカードの残高を更新するため、セルフサービス賭けマシーン４８に自分のクレジット又はデビットカードを挿入又は通すかもしれない。セルフサービス賭けマシーン４８はまた、カスタマ２０が、支払を受け取るため、テラー４４に提供される支払バウチャをプリントアウトすることを可能にするかもしれない。
【００２３】
図１に示されるように、賭けシステムインタフェース１４はまた、１以上の電話オペレータ５０及び１以上のウェブページなど、各種非物理的インタフェースを有するかもしれない。カスタマ２０は、１以上の通信ネットワークを５６を介しこのような非物理的インタフェースにアクセス又は通信するかもしれない。通信ネットワーク５６は、有線、光、無線又は他の適切なリンクなどの各リンクにより接続される１以上のサーバ、ルータ、スイッチ、リピータ、バックボーン、リンク及び／又は他の何れかのタイプの通信装置を含むかもしれない。一般に、通信ネットワーク５６は、電話網、ローカルエリアネットワーク（ＬＡＮ）、メトロポリタンエリアネットワーク（ＭＡＮ）、ワイドエリアネットワーク（ＷＡＮ）、インターネット、インターネットの一部又は他の何れかのデータ交換システムなどの何れかの通信ネットワーク上の何れかのインターコネクトを含むかもしれない。通信ネットワーク５６を利用して賭けシステムインタフェース１４にアクセスするため、カスタマ２０はコンピュータ、携帯情報端末（ＰＤＡ）、携帯電話、リモートページング装置、電子メール通信装置、携帯賭け装置又は他の何れか適切なモバイル装置を利用してもよい。ある実施例では、カスタマ２０は、通信ネットワーク５６及び賭けシステムインタフェース１４などを利用して、モバイル装置を介し賭けシステムプラットフォーム１６から賭け情報などの何れか適切な情報を受け取るかもしれない。
【００２４】
電話オペレータ５０は、賭け情報（イベント時刻、賭けルール、賭けオプション、オッズなど）をカスタマ２０に通信し、賭け１２をカスタマ２０から受け取るかもしれない。このようなウェブページ５４の１以上が、システム１０に係る１以上のサーバにより運営され、当該サーバはまた、いくつかの実施例において賭けシステムプラットフォーム１６を運営するかもしれない。いくつかの実施例では、ウェブページ５４を介しカスタマ２０に利用可能な賭け情報は、新たな賭け１２が発注され、及び／又はイベントに関する情報が変更されると、実質的にリアルタイムに又は所定の間隔により更新されてもよい。
【００２５】
いくつかの実施例では、１以上のウェブページ５４がインターネット賭けプロバイダ５８などにより提供され又は関連付けされてもよい。インターネット賭けプロバイダ５８は、オンライン賭けアカウントを１以上のカスタマ２０に提供することによって、インターネットアカウント賭け処理を提供するかもしれない。オンライン賭けアカウントを利用して、カスタマ２０は、アカウントに資金供給し、レースイベントに関する賭け情報を閲覧し、賭け１２を発注するため、インターネット賭けプロバイダ５８に係る１以上のウェブページ５４とインタフェースをとるかもしれない。このようなオンライン賭けアカウントは、デポジットアカウント、クレジットアカウント、ストップロスアカウント、ハイブリッドアカウントなどの１以上の各種タイプのアカウントを含むかもしれない。
【００２６】
システム１０の賭けシステムインタフェース１４の一部又はすべてが、あらゆるタイプの賭け１２を提供又は受け付けるよう動作可能であるかもしれない。しかしながら、いくつかの実施例では、１以上の賭けシステムインタフェース１４は、ジャックポットに適合した賭け３２及びジャックポット賭け３４又は従来の賭け３０の何れかしか提供又は受け付けないかもしれない。例えば、ある実施例では、賭けシステムプラットフォーム１６に係るウェブページ群は、カスタマ２０があらゆるタイプの賭け１２を発注することを可能にし、あるセルフサービス賭けマシーン４８のみが、カスタマ２０がジャックポットに適合した賭け３２及び３４又は従来の賭け３０の何れかを発注することを可能にするかもしれない。
【００２７】
上述されるように、賭けシステムプラットフォーム１６は、賭けシステムインタフェース１４から賭け１２を受け付け、受け付けた賭け１２を格納し、適切なオッズ、賭けの結果及び払戻を決定し、当該オッズ、賭けの結果及び／又は払戻を、これらをカスタマ２０に表示可能な賭けシステムインタフェース１４の１以上に通信するよう動作可能である。図１に示されるように、賭けシステムプラットフォーム１６は、メモリ７２に接続されたプロセッサ７０を有する。プロセッサ７０は、一般に以下で詳述される現在のオッズデータ７６、賭けの結果７８及び払戻８０を決定するため、賭けシステムソフトウェアアプリケーション７４又は他のコンピュータ命令を実行するよう動作可能である。
【００２８】
上述されるように、賭けシステムプラットフォーム１６は、プロセッサ７０とメモリ７２とを有する。プロセッサ７０は、中央処理ユニット（ＣＰＵ）や他のマイクロプロセッサなど、賭けシステムソフトウェアプリケーション７４又は他のコンピュータ命令を実行する何れか適切なプロセッサを有し、一緒になって動作する何れか適切な個数のプロセッサを有するかもしれない。メモリ７２は、１以上のＲＡＭ（Ｒａｎｄｏｍ  Ａｃｃｅｓｓ  Ｍｅｍｏｒｙ）、ＲＯＭ（Ｒｅａｄ−Ｏｎｌｙ  Ｍｅｍｏｒｙ）、ＤＲＡＭ（Ｄｙｎａｍｉｃ  ＲＡＭ）、ＦＣＲＡＭ（Ｆａｓｔ  Ｃｙｃｌｅ  ＲＡＭ）、ＳＲＡＭ（Ｓｔａｔｉｃ  ＲＡＭ）、ＦＰＧＡ（Ｆｉｅｌｄ−Ｐｒｏｇｒａｍｍａｂｌｅ  Ｇａｔｅ  Ａｒｒａｙ）、ＥＰＲＯＭ（Ｅｒａｓａｂｌｅ  Ｐｒｏｇｒａｍｍａｂｌｅ  ＲＯＭ）、ＥＥＰＲＯＭ（Ｅｌｅｃｔｒｉｃａｌｌｙ  ＥＰＲＯＭ）又は他の何れか適切な揮発性又は不揮発性記憶装置など、コンピュータ命令の実行を実現するのに適した１以上の記憶装置から構成されてもよい。
【００２９】
メモリ７２は、一般にオッズ、賭けの結果及び／又は払戻を決定する際にプロセッサ７０により利用可能な各種情報を格納するよう動作可能である。例えば、メモリ７２は、一緒に配設され、又は物理的及び／若しくは地理的に分散される何れか適切な個数のデータベースを有するかもしれない。図１に示される例では、メモリ７２は、賭けシステムソフトウェアアプリケーション７４、現在のオッズデータ７６、賭けの結果７８、払戻８０、レースイベントパラメータ８２、賭けパラメータ８４及びレース結果８６の何れか又はすべてを格納してもよい。
【００３０】
現在のオッズデータ７６は、カスタマ２０がこのような賭け１２の賭け金に基づきかけ１２の潜在的な払戻を決定できるように、例えば、（ａ）各種賭け１２についてパリミューチュアルプールに格納されている賭け金、（ｂ）各種賭け１２について現在のオッズデータ（このような賭け１２はパリミューチュアル又は固定されたオッズの賭けの何れでもよい）、及び／又は（ｃ）各種賭け１２についての潜在的な払戻データなどに関する現在又はほぼ現在のデータを有するかもしれない。上述されるように、プロセッサ７０は、このような現在のオッズデータ７６を決定するため、賭けシステムソフトウェアアプリケーションを実行するよう動作可能である。プロセッサ７０は、メモリ７２及び／又は１以上の賭けシステムインタフェース１４から受け付けたデータに少なくとも基づき、このような現在のオッズデータ７６を決定してもよい。さらに、プロセッサ７０は、賭けシステムプラットフォーム１６により受け付けされる新たな情報に基づき、このような現在のオッズデータ７６を更新してもよい。いくつかの実施例では、プロセッサ７０は、リアルタイムに、実質的にリアルタイムに、又は所定の間隔（３０秒毎など）により現在のオッズデータ７６を更新してもよい。
【００３１】
図１に示されるように、現在のオッズデータ７６は、矢印９０により示されるように、通信ネットワーク１８を介し１以上の賭けシステムインタフェース１４と通信されてもよい。このとき、現在のオッズデータ７６は、カスタマ２０によりアクセス可能な適切なウェブページ５４において、又は競技場若しくはＯＴＢ施設に配設された電光掲示板若しくはモニタ４６を介して、カスタマ２０に利用可能とされるかもしれない。このように、カスタマ２０は、各種の賭け１２又はレースイベントに関するリアルタイム又は実質的にリアルタイムな現在オッズデータ７６にアクセス可能となるかもしれない。
【００３２】
賭けの結果７８は、賭け１２を発注したカスタマ２０の身元、賭けの結果、賭け１２について決定された払戻及び／又は払戻８０がカスタマ２０に分配されたかなど、各種賭け１２（従来の賭け３０、ジャックポットに適合する賭け３２及び／又はジャックポット賭け３４を含む）の結果に関する各種データを有するかもしれない。賭け１２の可能な結果は、例えば、“ウィン”、“ルーズ”、“プッシュ”又は“ノーアクション”などを含むかもしれない。プロセッサ７０は、１以上の関連するレースイベントに関するレースイベントパラメータ８２、賭け１２に関する賭けパラメータ８４及び１以上の関連するレースイベントに関するレース結果８６に基づき、賭け１２の結果を決定するかもしれない。
【００３３】
プロセッサ７０は、賭け１２がパリミューチュアル、固定オッズ又は他のタイプの賭けであるかに応じて、各種データに基づき各当選した賭け１２の払戻８０を決定するかもしれない。プロセッサ７０は、上記タイプの賭けの払戻を決定するための既知の方法に従って、当選したパリミューチュアル及び固定オッズ賭け１２の払戻を決定するかもしれない。賭けシステムプラットフォーム１６により決定される払戻８０は、レース前に動的に計算及び／又は更新可能な潜在的な払戻及び利益、又はレースに対する賭けが締め切られた後若しくはレースが実行され及び／若しくは“公式”と宣言された後に計算可能な実際の払戻及び利益から構成されるかもしれないということが理解されるべきである。上述されるように、ジャックポットレースイベントは、ジャックポットレースプールと関連付けされる。当選した各ジャックポットに適合した賭け３２について、残りのパーセント（２５％など）がジャックポットレースプールに割り当てられることによって、カスタマ２０は提供される払戻のある割合（７５％など）を受け取ることとなる。これらの割当ては、払戻８０及び／又は賭けパラメータ８４に反映されるかもしれない。
【００３４】
レースイベントパラメータ８２は、レースイベントのタイプ、レースイベントの日時及び場所、並びに／又はレースイベントの各参加者の番号（又はいくつかのケースでは、名前）など、１以上のレースイベントの各種パラメータを有するかもしれない。
【００３５】
賭けパラメータ８４は、賭け１２を発注したカスタマの身元、賭け１２が発注された方法（電話若しくはインターネットを介して、又は競技場若しくはＯＴＢ施設において有人により）、賭け１２のタイプ（賭け１２が従来の賭け３０、ジャックポットに適合した賭け３２又はジャックポット賭け３４などであるか否かなど）、賭け１２に対する手数料率、ジャックポットに適合する賭け３２の適合したレースイベント及び参加者、並びに／又は賭け１２の賭け金など、１以上の受け付けた賭け１２の各種パラメータから構成されるかもしれない。
【００３６】
レース結果８６は、１以上のレースイベントの結果に関する各種データから構成されるかもしれない。レース結果８６はまた、各ジャックポットに適合した賭け３２とそれらを構成する適合したレースイベントの結果を含むものであってもよい。これについて、あるレース結果は、それのジャックポットに適合する賭け３２に従って各カスタマ２０についてパーソナル化されてもよい。
【００３７】
上述されるように、１以上の通信ネットワーク１８が、１以上の賭けシステムインタフェース１４と賭けシステムプラットフォーム１６との間の無線又は有線通信を接続及び実現する。各通信ネットワーク１８は、有線、光リンク、無線リンク又は他の適切なリンクなどの各リンクにより接続される１以上のサーバ、ルータ、スイッチ、リピータ、バックボーン、リンク及び／又は他の何れか適切なタイプの通信装置を含むかもしれない。一般に、各通信ネットワーク１８は、ローカルエリアネットワーク（ＬＡＮ）、メトロポリタンエリアネットワーク（ＭＡＮ）、ワイドエリアネットワーク（ＷＡＮ）、インターネット、インターネットの一部又は他の何れかのデータ交換システムなどの何れか通信ネットワーク上の何れかのインターコネクトを含むものであってもよい。
【００３８】
また、賭けシステムプラットフォーム１６の１つ、一部又はすべてのコンポーネントがまとめて配設され、又は物理的若しくは地理的に分散されてもよいということが理解されるべきである。さらに、ジャックポットに適合した賭け３２及び／又はジャックポット賭け３４に係る何れかの賭けプール（パリミューチュアルプールなど）と共に、賭けシステムプラットフォーム１６の１つ、一部又はすべてのコンポーネントは、当該賭けに係るレースイベントが運営される競技場又は他の競技場又はＯＴＢエンティティなどの他の何れか適切な位置に配設されるかもしれない。いくつかの実施例では、例えば、ジャックポットに適合した賭け３２及び／又はジャックポット賭け３４のためのパリミューチュアルプールは、当該賭けによりカバーされるレースイベントが行われている競技場によって運営される。他の実施例では、特定のジャックポットに適合した賭け３２及び／又はジャックポット賭け３４のためのパリミューチュアルプールは、当該賭けによりカバーされるレースイベントが行われている競技場から離れた競技場又はＯＴＢエンティティにより運営される。
【００３９】
ジャックポットに適合した賭け３２及びジャックポット賭け３４の処理が、図２Ａ〜２Ｃを参照して詳細に説明される。図２Ａは、カスタマ２０ａのための一例となるジャックポットに適合した賭け３２ａを示す。図２Ｂは、カスタマ２０ｂのための一例となるジャックポットに適合した賭け３２ｂを示す。図２Ｃは、カスタマ２０ｎのための一例となるジャックポットに適合した賭け３２ｎを示す。本例では、各カスタマ２０ａ、２０ｂ及び２０ｎは競技場で開催される複数の競馬レースの１以上に対して賭けをしていると仮定する。各カスタマ２０は、レース日の終了時に行われるジャックポットレースイベントのためのジャックポット賭け３４を獲得するため、ジャックポットに適合した賭け３２を行う。
【００４０】
図２Ａを参照するに、一例となるジャックポットに適合した賭け３２ａは、ある競技場における複数のレースイベントからの３つの適合したレースイベントに対する賭けから構成される。カスタマ２０ａは、これらの適合するレースイベントを選択するか、又は賭けシステムプラットフォーム１６などによりカスタマ２０のために選択されたものであってもよい（ランダムに、擬似ランダムに、あるパターンに従って、過去の嗜好に従って、又はそれ以外など）。ジャックポットに適合した賭け３２ａについて選択される適合したレースイベントは、レース２、レース５及びレース６を含む。一実施例では、各適合したレースイベントは、ジャックポットに適合した賭け３２が行われる時点で選択される。他の実施例では、カスタマ２０が、ジャックポットに適合した賭け３２に対するすべての賭けコンポーネント１００の賭け金を支払ってもよいが、実際のレースイベント及び／又は参加者が、ジャックポットに適合した賭け３２が行われた後の各種時点で選択されてもよい。これについて、カスタマ２０は、ある賭けコンポーネント１００を確定する前に、あるレースイベントの出走予定時刻まで導くさらなるハンディキャップ情報を処理することができる。
【００４１】
ジャックポットに適合した賭け３２ａは、対応する各適合したレースイベントに係る独立した賭けコンポーネント１００から構成される。例えば、賭けコンポーネント１００ａはレース２に関連付けされ、賭けコンポーネント１００ｂはレース５に関連付けされ、賭けコンポーネント１００ｃはレース６に関連付けされる。ジャックポットに適合した賭け３２の各賭けコンポーネント１００について、賭けタイプが決定される。本例では、カスタマ２０ａが適合させようとするジャックポットレースイベントに対する賭けは、連勝単式から構成される。この結果、適合する賭け３２ａの各賭けコンポーネント１００ａ〜１００ｃはまた、連勝単式の賭けから構成される。これについて、ある賭けコンポーネントに当選するため、カスタマ２０ａは選択されたレースイベントにゴールする第１及び第２参加者を正しく選択しなければならない。
【００４２】
図２Ａに示されるように、賭けコンポーネント１００ａは、カスタマ２０ａがレース２における１番目と２番目にそれぞれゴールする参加者２及び５に対して２０．００ドルをかけていることを示している。賭けコンポーネント１００ｂは、カスタマ２０ａがレース５における１番目と２番目にそれぞれゴールする参加者３及び７に対して３０．００ドルを賭けていることを示す。賭けコンポーネント１００ｃは、レース６に１番目と２番目にそれぞれゴールする参加者１及び８に対して２．００ドルを賭けていることを示す。ここに記載されるジャックポットレースイベントのルールに従って、カスタマ２０ａがジャックポットに適合する賭け３２ａについて３つすべての賭けコンポーネント１００ａ〜１００ｃに対して正解した場合、カスタマ２０ａは関連するジャックポットレースイベントのある個数のジャックポット賭け３４に当選する。カスタマ２０ａが適合する賭け３２の１つの賭けコンポーネント１００に負けた場合、カスタマ２０ａが何れのジャックポット賭け３４にも当選しない。また、ルールに従って、カスタマ２０ａは残りのパーセンテージ（２５％など）がジャックポットレースプールに割り当てられることによって、当選した各適合したレースイベントについて提供される払戻のあるパーセンテージ（７５％など）を受け取る。
【００４３】
図２Ａはまた、適合する賭け３２ａの個々の賭けコンポーネント１００ａ〜１００ｃの各結果を示す。本例では、カスタマ２０ａは、各賭けコンポーネント１００ａ〜１００ｃに当選し、このため、ジャックポットレースイベントのある個数のジャックポット賭け３４に当選する。カスタマ２０ａが当選したジャックポット賭け３４の個数は、本例では、各賭けコンポーネント１００ａ〜１００ｃの賭け金に依存していた。例えば、カスタマ２０ａが２０．００ドルが賭けられた賭けコンポーネント１００ａに当選したため、カスタマ２０ａは、１０個の２ドルのジャックポット賭け３４に当選したこととなる。カスタマ２０ａが２．００ドルが賭けられた賭けコンポーネント１００ｃに当選したため、カスタマ２０ａは、１つの２．００ドルのジャックポット賭け３４に当選したこととなる。従って、適合した賭け３２ａにおいてカスタマ２０ａが当選したジャックポット賭け３４の合計は、２６となる。他の実施例では、各賭けコンポーネント１００ａ〜１００ｃについて選択された参加者のオッズは、カスタマ２０ａが当選したジャックポット賭け３４の個数を決定するのに考慮される。例えば、カスタマ２０ａは、より低いオッズの参加者に賭けるより（フェイバリットなど）、より高いオッズの参加者に賭けることによって（ロングショットなど）より多くのジャックポット賭け３４を受け取ることができたかもしれない。上述されるように、これは、当選した賭けに対する払戻と同じタイプの賭けについてその日の間の平均払戻とを比較することによって決定されてもよい。あるいは、１以上の参加者のオッズをオッズの閾値セットと比較することによって決定されてもよい。
【００４４】
図２Ｂを参照するに、一例となるジャックポットに適合した賭け３２ｂは、当該競技場の複数のレースイベントからの３つの適合したレースイベントに対する賭けから構成される。ジャックポットに適合した賭け３２ｂについて選択された適合したレースイベントは、レース１、レース５及びレース７を含む。ジャックポットに適合した賭け３２ｂは、レース１に係る賭けコンポーネント１００ａ、レース５に係る賭けコンポーネント１００ｂ及びレース７に係る賭けコンポーネント１００ｃを含む。各賭けコンポーネント１００ａ〜１００ｃの賭けタイプは、連勝単式の賭けである。これについて、賭けコンポーネント１００に当選するため、カスタマ２０ｂは選択されたレースイベントにゴールする１番目と２番目の参加者を正しく選択しなければならない。
【００４５】
図２Ｂに示されるように、賭けコンポーネント１００ａは、カスタマ２０ｂがレース１において１番目と２番目にそれぞれゴールする参加者１０及び１２に対して４．００ドルを賭けていることを示している。賭けコンポーネント１００ｂは、カスタマ２０ｂがレース５において１番目と２番目にそれぞれゴールする参加者３及び７に対して３０．００ドルを賭けていることを示している。賭けコンポーネント１００ｃは、カスタマ２０ｂがレース７において１番目と２番目のそれぞれにゴールする参加者３及び９に対して２２．００ドルを賭けていることを示している。カスタマ２０ｂがジャックポットに適合する賭け３２ｂについて３つすべての賭けコンポーネント１００ａ〜１００ｃに対して正解した場合、カスタマ２０ｂは、関連するジャックポットレースイベントについてある個数のジャックポット賭け３４に当選する。カスタマ２０ｂが適合した賭け３２ｂの１つの賭けコンポーネント１００ａ〜１００ｃを外した場合、カスタマ２０ｂは何れのジャックポット賭け３４にも当選しない。さらに、カスタマ２０ｂは、残りのパーセンテージ（２５％など）がジャックポットレースプールに割り当てられることにより当選する各適合するレースイベントについて提供されるあるパーセンテージの払戻（７５％など）を受け取る。
【００４６】
図２Ｂはまた、適合する賭け３２ｂの個々の賭けコンポーネント１００ａ〜１００ｃの各結果を示す。本例では、カスタマ２０ａは、賭けコンポーネント１００ａ及び１００ｂに当選したが、賭けコンポーネント１００ｃを外した。この結果、カスタマ２０ｂは、ジャックポットレースイベントの何れのジャックポット賭け３４にも当選しなかった。特に、カスタマ２０ａが４．００ドルが賭けられた賭けコンポーネント１００ａに当選したため、カスタマ２０ａは２つの２ドルのジャックポット賭け３４に当選したこととなる。さらに、カスタマ２０ｂは、３０．００ドルが賭けられた賭けコンポーネント１００ｂに当選したため、カスタマ２０ａは１５個の２ドルのジャックポット賭け３４に当選したこととなる。カスタマ２０ｂが適合する賭け３２からの何れかのジャックポット賭け３４に当選しなかったとしても、カスタマ２０ｂは依然としてジャックポットレースプールに当選した賭けコンポーネント１００ａ及び１００ｂについて提供される払戻の一部に貢献したことになる。
【００４７】
図２Ｃを参照するに、一例となるジャックポットに適合した賭け３２ｎは、当該競技場の複数のレースイベントからの３つの適合したレースイベントに対する賭けから構成される。ジャックポットに適合した賭け３２ｎについて選択される適合したレースイベントは、レース３、レース５及びレース７を含む。ジャックポットに適合した賭け３２ｎは、レース３に係る賭けコンポーネント１００ａ、レース５に係る賭けコンポーネント１００ｂ、レース５に係る賭けコンポーネント１００ｃ及びレース７に係る賭けコンポーネント１００ｄから構成される。各賭けコンポーネント１００ａ〜１００ｄの賭けタイプは、連勝単式である。これについて、特定の賭けコンポーネント１００に当選するため、カスタマ２０ｎは、選択されたレースイベントにゴールする１番目と２番目の参加者を正しく選択しなければならない。
【００４８】
図２Ｃに示されるように、賭けコンポーネント１００ａは、カスタマ２０ｎがレース３における１番目と２番目にそれぞれゴールする参加者３及び１０に対して５０．００ドルを賭けていることを示している。賭けコンポーネント１００ｂは、カスタマ２０ｎがレース５において１番目と２番目のそれぞれにゴールした参加者３及び７に対して１００．００ドルを賭けていることを示している。賭けコンポーネント１００ｃは、レース５において１番目と２番目にそれぞれゴールする参加者７及び３に対して１００．００ドルを賭けていることを示している。従って、カスタマ２０ｎは、レース５に関連する複数の賭けコンポーネント１００ｂ及び１００ｃを有している。この場合、例えば、カスタマ２０ｎは、レース５において参加者３及び７に対して“連勝単式ボックス賭け”を行っており、これにより、賭けコンポーネント１００ｂ及び１００ｃが得られる。賭けコンポーネント１００ｄは、カスタマ２０ｎがレース７において１番目と２番目にそれぞれゴールする参加者２及び９に対して４０．００ドルを賭けていることを示している。レース５の賭けコンポーネント１００ｂ又は１００ｃの１つが当選し、レース３及び７のそれぞれの各賭けコンポーネント１００ａ及び１００ｄが当選している場合、カスタマ２０ｎは、関連するジャックポットレースイベントについてある個数のジャックポット賭け３４に当選する。カスタマ２０ｎが適合する賭け３２ｎの１つの賭けコンポーネント１００ａ又は１００ｄを外した場合、又は賭けコンポーネント１００ｂ及び１００ｃの両方を外した場合、カスタマ２０ｎは何れのジャックポット賭け３４にも当選しないこととなる。さらに、カスタマ２０ｎは、残りのパーセンテージ（２５％など）がジャックポットレースプールに割り当てられることによって、当選する各適合するレースイベントについて提供されるあるパーセンテージの払戻（７５％など）を受け取る。
【００４９】
図２Ｃはまた、適合する賭け３２ｎの個々の賭けコンポーネント１００ａ〜１００ｄの各結果を示す。本例では、カスタマ２０ｎは、各レースイベントの賭けコンポーネント１００に当選し、これにより、ジャックポットレースイベントのある個数のジャックポット賭け３４に当選する。これは、レース５において賭けコンポーネント１００ｂが当選したため、レース５において賭けコンポーネント１００ｃが外れてしまったという事実にもかかわらず成り立つ。本例では、カスタマ２０ｎが当選したジャックポット３４の個数は、各当選した賭けコンポーネント１００ａ〜１００ｄの賭け金に依存していた。例えば、カスタマ２０ｎは５０．００ドルが賭けられた賭けコンポーネント１００ａに当選したため、カスタマ２０ｎは２５個の２ドルのジャックポット賭け３４に当選したこととなる。カスタマ２０ｎが１００．００ドルが賭けられた賭けコンポーネント１００ｂに当選したため、カスタマ２０ｎは、５０個の２ドルのジャックポット賭け３４に当選したこととなる。カスタマ２０ｎが４０．００ドルが賭けられた賭けコンポーネント１００ｄに当選したため、カスタマ２０ｎは２０個の２ドルのジャックポット賭け３４に当選したこととなる。従って、適合する賭け３２ｎにおいてカスタマ２０ｎが当選したジャックポット賭け３４の合計数は９５となる。他の実施例では、各賭けコンポーネント１００ａ〜１００ｄについて選択された参加者のオッズは、カスタマ２０ｎが当選したジャックポット賭け３４の個数を決定するのに考慮される。例えば、カスタマ２０ｎは、より低いオッズの参加者に賭けることより（フェイバリットなど）、より高いオッズの参加者に賭けることによって（ロングショットなど）、より多くのジャックポット賭け３４を受け取ることになるかもしれない。
【００５０】
ここで、カスタマ２０ａ及び２０ｎは、適合するジャックポット賭け３２ａ及び３２ｎのそれぞれに当選することによって適合するジャックポットレースイベントの結果に対していくつかのジャックポット賭け３４を発注する機会を有している。一実施例では、このジャックポットレースイベントは、競技場での競技日の終了時に行われる。上述されるように、カスタマ２０ａは、ジャックポットレースイベントについて２６個の２ドルのジャックポット賭け３４に当選し、カスタマ２０ｎは、ジャックポットレースイベントについて９５個の２ドルの賭け３４に当選している。カスタマ２０は、指定された数量まで任意数及び組み合わせのジャックポット賭け３４を発注してもよい。このため、カスタマ２０ａは、２６個の独立した２ドルの賭け３４、１つの５２ドルの賭け３４又はそれらの間の何れかの個数及び組み合わせを発注するかもしれない。同様に、カスタマ２０ｎは、９５個の独立した２ドルの賭け３４、１つの１９０ドルの賭け３４又はそれらの間の何れか個数及び組み合わせを発注するかもしれない。上記賭け３４のそれぞれは、上述した具体例に従って連勝単式の賭けを構成する。このため、ジャックポット賭け３４に当選するため、カスタマ２０はジャックポットレースイベントにゴールする１番目と２番目の参加者を正しく選択する必要がある。
【００５１】
ジャックポットレースイベントに適合するすべてのカスタマ２０が各自のジャックポット賭け３４をした後、ジャックポットレースイベントが実行される。ジャックポットレースイベントに対して各自のジャックポット賭け３４に当選した者がいない場合、ジャックポットレースプールは次のジャックポットレースイベントにキャリオーバーされる。複数のカスタマ２０がジャックポットレースイベントのジャックポット賭け３４に当選した場合、ジャックポットレースプールは、当選者に均等に分割される。これについて、ジャックポットレースイベントの払戻は、パリミューチュアルベースに従っては決定されない。このため、適合したイベント群において獲得された払戻の一部をジャックポットレースプールに寄付することに同意することによって、カスタマは当選が多数となるかもしれないジャックポットレースイベントにおいていくつかのジャックポット賭け３４に当選する機会を有する。
【００５２】
図３は、ジャックポットに適合した賭け３２を発注するための一例となる賭けフォーム１１０を示す。フォーム１１０は、適合処理の各部分に対応するセクション１１２を有する。特に、あるジャックポットに適合した賭け３２について指定された個数のレースイベントが３である場合、第１セクション１１２ａが第１部分に対応し、第２セクション１１２ｂが第２部分に対応し、第３セクション１１２ｃが第３部分に対応する。各賭けセクション１１２の内部では、カスタマ２０はレースイベント、何れか適切な単位による賭け金及び賭けの参加者を選択する機会を有する。ジャックポットに適合した賭け３２の何れか与えられた部分に対して、カスタマ２０は、ボックス賭けやホイール賭けなどの複数の賭けを発注することができる。例えば、連勝単式ボックス賭けは、１着として２つの参加者と、２着として同じ２つの参加者とを選択することによって行われる。ボックス賭けは、当該レースイベントの２つの賭けコンポーネント１００をもたらす。ホイール賭けは、１着又は２着の何れかとして“Ａ”を選択することにより行われ、その他の着順について特定の参加者と組み合わされる。ホイール賭けは、ホイール賭けに係る適切な個数の組み合わせに基づき、当該レースイベントについて複数の賭けコンポーネント１００をもたらす。
【００５３】
図３に示される賭けフォーム１１０は、図２Ｃに示されるように、カスタマ２０ｎにより発注されたジャックポットに適合する賭け３２ｎに対応する。例えば、セクション１１２ａは、カスタマ２０ｎがレース３において馬３及び馬１０に対して５０ドルの連勝単式の賭けをどのように発注するか示している。セクション１１２ｂは、賭けコンポーネント１００ｂがレース５において１番目と２番目にゴールする馬３と馬７に対して１００ドルの連勝単式の賭けをカバーし、賭けコンポーネント１００ｃがレース５において１番目と２番目にゴールする馬７及び馬３に対して１００ドルの連勝単式の賭けをカバーするように、カスタマ２０ｎがレース５の馬３と馬７に対して１００ドルの連勝単式のボックス賭けをどのように発注するかを示している。セクション１１２ｃは、レース７において馬２及び馬９に対して４０ドルの連勝単式の賭けをカスタマ２０ｎがどのように発注するか示している。
【００５４】
図３に示される賭けフォーム１１０は単なる一例であり、他の何れか適切な賭けフォーム１１０が、ジャックポットに適合した賭け３２を発注するためシステム１０において利用可能であることが理解されるべきである。
【００５５】
図４は、本発明の実施例によるジャックポットレースイベントに関する賭けを受付及び管理する一例となる方法を示すフローチャート１５０である。本方法は、プラットフォーム１６が複数の賭けコンポーネント１００を有するジャックポットに適合した賭け３２を受け付けるステップ１５２から開始される。各賭けコンポーネント１００は、対応する適合したレースイベントに関連付けされる。ステップ１５４において、プラットフォーム１６は、当選した賭けとなった賭けコンポーネント１００を決定する。例えば、ジャックポットに適合する賭け３２に係る賭けのタイプが連勝単式の賭けである場合、プラットフォーム１６は、適合するレースイベントの連勝単式の賭けの何れが当選した賭けであったか決定する。各当選した賭けについて、プラットフォーム１６は、ステップ１５６において払戻を決定する。当選した賭けからの各払戻の一部が、ステップ１５８において、適切なジャックポットレースイベントのジャックポットレースプールに割り当てられる。
【００５６】
ステップ１６０に移行し、プラットフォーム１６は、ステップ１５２において受け付けたジャックポットに適合する賭け３２の賭けコンポーネント１００のすべてが当選した賭けであったか決定する。賭けコンポーネント１００の必ずしもすべてが適合するレースイベントの結果に基づき当選した賭けでなかった場合、ジャックポットに適合する賭け３２は外れの賭けとみなされ、ステップ１７０において処理が終了する。ステップ１６０において、すべての賭けコンポーネント１００が当選した賭けであったと判断された場合、ジャックポットに適合した賭け３２が当選した賭けとみなされ、ステップ１６２に移行し、プラットフォーム１６は、当選したジャックポットに適合する賭け３２を所持するカスタマ２０に与えられるジャックポット賭け３４の個数を決定する。上述されるように、カスタマ２０に与えられたジャックポット賭け３４の個数は、ジャックポットに適合する賭け３２の賭けコンポーネントに係る賭け金、賭けコンポーネント１００について選択された参加者のオッズ、又は賭け３２若しくは適合するレースイベントに係る他の何れか適切なファクタに基づくものであってもよい。
【００５７】
ステップ１６４において、プラットフォーム１６は、当選したジャックポットに適合する賭け３２を所持するカスタマ２０からジャックポット賭け３４を受け付ける。ジャックポットレースイベントが実行された後、ステップ１６６において、プラットフォーム１６は、当選と外れを決定するため、ジャックポット賭け３４の結果を決定する。ステップ１６８において、プラットフォーム１６は、当選したジャックポット賭け３４を所持するカスタマ２０にジャックポットレースプールの一部を与える。本方法は、ステップ１７０において終了する。
【００５８】
上述された各実施例の変形では、１以上のジャックポット賭け３４が、特定のジャックポットに適合した賭け３２の各コンポーネントのすべてではないが一部に当選したカスタマ２０に与えられてもよい。例えば、いくつかのジャックポット賭け３４が、ジャックポットに適合した賭け３２の４つのコンポーネント１００のうち３つ（又は試行されたコンポーネント１００のうちの他の何れか適切な個数の当選したコンポーネント１００）に当選したカスタマ２０に提供されてもよい。本例では、当選したコンポーネント１００のパーセンテージが高くなるに従って、カスタマ２０に提供されるジャックポット賭け３４の個数が多くなる。このため、ジャックポットに適合した賭け３２の３つのコンポーネント１００のうち３つに当選したカスタマ２０は、ジャックポットに適合した賭け３２の４つのコンポーネント１００のうち３つに当選したカスタマ２０より多くのジャックポット賭け３４に当選するかもしれない。これについて、ジャックポットに適合した賭け３２においてコンポーネント群１００の１番目を外したカスタマ２０は依然として、１以上のジャックポット賭け３４に当選する可能性がある。これは、その日におけるレースの関心をより持続させる。
【００５９】
本発明の実施例とそれらの効果が詳細に説明されたが、添付された請求項により規定されるような本発明の趣旨及び範囲から逸脱することなく各種変更、追加及び省略が当業者により可能であろう。
【図面の簡単な説明】
【００６０】
【図１】図１は、本発明の実施例によるジャックポットレースイベントに関する賭けを提供及び管理するための一例となるシステムを示す。
【図２】図２Ａ〜２Ｃは、図１のシステムに使用される一例となるジャックポットに適合する賭けを示す。
【図３】図３は、図１のシステムに使用される一例となる賭けフォームを示す。
【図４】図４は、本発明の実施例によるジャックポットレースイベントに関する賭けを受付及び管理する一例となる方法を示すフローチャートである。
【国際調査報告】
2009503685.tif 000007